(57)【要約】電子デバイスが、ハウジングと、ハウジング内に配置された基板上に沈着されるＬＥＤのアレイとを備え含む。ＬＥＤのアレイは、ロゴが表示できる印を形成するように配置されている。
2019523906.tif 000002
【特許請求の範囲】
【請求項１】
ハウジングと、
前記ハウジング内に配置された基板上に沈着されるＬＥＤのアレイであって、前記ＬＥＤのアレイは、ロゴが表示できる印を形成するように配置されている、前記ＬＥＤのアレイと
を備える、電子デバイス。
【請求項２】
前記印が、前記電子デバイスのユーザによるフラッシュライト機能の選択に応答してフラッシュライトとして機能するように構成されている、請求項１に記載の電子デバイス。
【請求項３】
前記印が、前記電子デバイスのカメラのためのフラッシュとして機能するように構成されている、請求項１に記載の電子デバイス。
【請求項４】
前記印が、前記電子デバイスの機能の通知を表示するように構成されている、請求項１に記載の電子デバイス。
【請求項５】
前記印が、機能の通知を表示することと、前記電子デバイスのユーザによるフラッシュライト機能の選択に応答してフラッシュライトとして機能することと、前記電子デバイスのカメラのためのフラッシュとして機能することとを行うように構成されている、請求項１に記載の電子デバイス。
【請求項６】
前記印の設定が、あらかじめプログラミングされている、請求項１に記載の電子デバイス。
【請求項７】
前記印の設定が、前記電子デバイスのユーザによってカスタマイズできる、請求項１に記載の電子デバイス。
【請求項８】
モバイルフォンまたはタブレットである、請求項１に記載の電子デバイス。
【請求項９】
ハウジングと、
前記ハウジング内に配置された基板上に沈着される印を形成するＬＥＤのアレイであって、ＬＥＤの前記アレイ及び前記基板は、組み合わさった外形の高さが、０．２５ミリメートル未満である、ＬＥＤの前記アレイと、
１つまたは複数のプロセッサと、
コンピュータ可読命令を記憶したコンピュータ可読媒体であって、前記命令は、実行されたとき、前記１つまたは複数のプロセッサに、前記ＬＥＤを作動させて、ロゴを表示するように前記印を点灯させる、前記コンピュータ可読媒体と
を備える、デバイス。
【請求項１０】
前記印の前記ＬＥＤの出力が、ユーザ設定に従って、色または輝度のうちの少なくとも一方によって異なるように構成されている、請求項９に記載のデバイス。
【請求項１１】
前記ＬＥＤの出力色全体が、環境の中の照光を変えるように制御できる、請求項９に記載のデバイス。
【請求項１２】
前記ＬＥＤを作動させることにより、フラッシュライトとして前記デバイスの外側のエリアを照らす、請求項１１に記載のデバイス。
【請求項１３】
視野を有するカメラをさらに備え、
前記ＬＥＤが、前記カメラの前記視野内のエリアを照らすように構成されている、請求項１２に記載のデバイス。
【請求項１４】
前記カメラのためのフラッシュとして前記印の前記ＬＥＤの一部分を使用するように構成されている、請求項１３に記載のデバイス。
【請求項１５】
前記１つまたは複数のプロセッサが、
前記デバイスの機能の通知を受け取る、またはステータスを識別することと、
前記通知または前記ステータスに少なくとも一部基づいて前記ＬＥＤを作動させることと
を行うように構成されている、請求項９に記載のデバイス。
【請求項１６】
前記プロセッサが、前記ＬＥＤをパターンで作動させ、前記パターンが、前記通知または前記ステータスのタイプに少なくとも一部基づいている、請求項１５に記載のデバイス。
【請求項１７】
前記パターンが、前記デバイスのユーザによって選択された、あらかじめ設定済みのパターンに対応する、請求項１６に記載のデバイス。
【請求項１８】
前記あらかじめ設定済みのパターンが、単語、スクローリングする単語もしくは語句もしくは名前、画像、アイコン、ロゴ、光の波動、光の螺旋、様々なパワー／輝度レベルで点灯している前記印の異なる部分が、パルスし、またはフェードイン及びフェードアウトする光のパルス、光の動きの追跡、光の変色の波、あるいは前記印の中のランダムなＬＥＤの作動のうちの少なくとも１つを含む、請求項１７に記載のデバイス。
【請求項１９】
前記プロセッサが、前記デバイスにおいて作動しているオーディオ信号のリズムまたはサウンドに従って前記ＬＥＤを作動させる、請求項１５に記載のデバイス。
【請求項２０】
前記ＬＥＤが、前記基板上に沈着されたパッケージ化されていないＬＥＤを含む、請求項１９に記載のデバイス。
【発明の詳細な説明】
【技術分野】
【０００１】
関連特許出願の相互参照
本出願は、「Ｍｕｌｔｉ−Ｆｕｎｃｔｉｏｎ  Ｌｉｇｈｔ  Ａｐｐａｒａｔｕｓ」と題された２０１６年５月３１日に出願の米国特許出願第６２／３４３，７５６号に対する優先権を主張するものであり、その内容を全体的に参照することによって組み込んでいる。本出願はまた、米国特許出願第１４／９３９，８９６号、次に「Ｍｅｔｈｏｄ  ａｎｄ  Ａｐｐａｒａｔｕｓ  ｆｏｒ  Ｔｒａｎｓｆｅｒ  ｏｆ  Ｓｅｍｉｃｏｎｄｕｃｔｏｒ  Ｄｅｖｉｃｅｓ」と題された２０１５年１１月１２日に出願の米国特許第９，６３３，８８３号、及び「Ｉｎｄｉｃｉｕｍ  Ｉｌｌｕｍｉｎａｔｉｏｎ」と題された２０１５年１１月１３日に出願の米国特許出願第１４／９４１，４４２号もそれらを全体的に参照することによって組み込んでいる。
【背景技術】
【０００２】
発光ダイオード（ＬＥＤ）技術は、以前の照光素子と比較して、エネルギーをそれほど消費せず、物理的に堅牢で、小型で、切替えが高速で、長く持続する照光手段を可能にする。しかしながら、従来のＬＥＤは、大きさ、機能、及び形状により、ＬＥＤの使用を特定の用途に制約している。デバイスの薄型化への要望が膨らむにつれて、ある種の機能が、スリムなフォームファクタを保つために犠牲になっている。たとえば、ラップトップの中には、ラップトップ画面が照光している間、ランプトップ蓋上に照光するロゴを含むものがある。大抵の場合、ロゴは、ラップトップ画面の液晶ディスプレイ（ＬＣＤ）のバックライトによって照光し、したがって、蓋が閉じているとき、または別の形でＬＣＤバックライトをオフにしたときには照光しない。ラップトップが休止モードでありながらバックライトの照光を続けると、バッテリの使用が効率的でなくなり、ロゴを点灯させるための追加の照光素子を付加すると、実質的にラップトップの厚さが増すことになるので、蓋が閉じているときのロゴの連続点灯は、これまで企図されてこなかった。同様の理由で、第２のディスプレイまたは他の印は、ラップトップのカバー、モバイルデバイス、または他の物体に付加されていない。
【図面の簡単な説明】
【０００３】
詳細な説明を、添付の図を参照して説明する。図においては、参照数字の最左桁（複数可）は、参照数字が最初に見られる図を識別する。異なる図における同じ参照数字の使用は、類似または同一の項目を示す。さらには、図面は、個々の図内の個々の構成要素の相対的大きさの近似図を提供していると見なすことができる。ただし、図面は、縮尺通りではなく、個々の図内で及び異なる図間ともに、個々の構成要素の相対的大きさは、描写されているものとは異なる場合がある。具体的には、図のうちのいくつかは、構成要素を特定の大きさまたは形状として描写している場合があるが、他の図は、明瞭にするために同じ構成要素をより大きい縮尺または異なる形状で描写している場合がある。
【０００４】
【図１】図１Ａは電子デバイス上に置かれている印を照光するための例示的な諸環境を示す図であり、図１Ｂはラップトップカバー上に置かれている印を照光するための例示的な環境を示す図である。
【図２】薄型エッジ照光を使用して印を点灯させるための技法を示す断面略図である。
【図３】図３Ａは薄型の第２のディスプレイを使用して印を点灯させるための技法を示す断面略図であり、図３Ｂは薄型の第２のディスプレイを使用して印を点灯させるための別の技法を示す断面略図である。
【図４】図４Ａは印を点灯させるための薄型の第２のディスプレイの例示的な配置を示す断面略図であり、図４Ｂは印を点灯させるための薄型の第２のディスプレイの例示的な配置を示す、説明の光生成源の放射方向に向かって見た略図であり、図４Ｃは印を点灯させるための薄型の第２のディスプレイを採用する説明の技法の例示的な環境であり、印を点灯させるための薄型の第２のディスプレイの例示的な配置を示す断面略図を含む。
【図５】図５Ａは印を点灯させるための薄型の第２のディスプレイの例示的な配置を示す断面略図であり、図５Ｂは別の角度からの図５Ａの薄型の第２のディスプレイの例示的な配置の略図である。
【図６】図６Ａは印を点灯させるための薄型の第２のディスプレイの例示的な配置を示す断面略図であり、図６Ｂは別の角度からの図６Ａの薄型の第２のディスプレイの例示的な配置の略図である。
【図７】薄型のディスプレイを使用してディスプレイ及び印を点灯させるための技法を示す断面略図である。
【図８】図８Ａは表面実装型光生成源によって点灯する印の一例の断面略図であり、図８Ｂは表面実装型光生成源によって点灯する印の一例の断面略図である。
【図９】説明の技法を採用する例示的なデバイスを示すブロック略図である。
【図１０】印に関する通知を行うための例示的な方法の流れ図である。
【図１１】図１１Ａは電子デバイスの照光機能の例示的な実施形態を示し、図１１Ｂは電子デバイスの照光機能の例示的な実施形態を示す。
【図１２】図１２Ａは電子デバイスの照光機能の例示的な実施形態を示し、図１２Ｂは電子デバイスの照光機能の例示的な実施形態を示す。
【図１３】電子デバイスの照光機能の例示的な実施形態を示す。
【図１４】電子デバイスの印の例示的な実施形態を示す。
【図１５】図１５Ａは電子デバイスの印の例示的な実施形態を示し、図１５Ｂは電子デバイスの印の例示的な実施形態を示し、図１５Ｃは電子デバイスの印の例示的な実施形態を示し、図１５Ｄは電子デバイスの印の例示的な実施形態を示す。
【発明を実施するための形態】
【０００５】
概観
本開示は、多様な使用に向けてラップトップカバーまたは他のモバイルデバイス上に配置された、たとえばロゴまたはユーザインターフェースなどの印の点灯を可能にするための技法及びデバイスを対象とする。いくつかの実施形態においては、本明細書における技法及びデバイスは、デバイスのディスプレイの状態に関係なく印の点灯を可能にする。いくつかの例では、その特徴は、たとえば、電子デバイスのカメラに環境を照らすための光を提供するなど、電子デバイスの構成要素の機能を向上させるための点灯を可能にする。他の例では、本明細書における技法及びデバイスは、デバイスの不透明な構成要素が、照光した印とデバイスのディスプレイとの間に置かれているとき、印の点灯を可能にする。さらなる他の例では、印の不透明さが低減可能であり、及び／または点灯の振幅が増加可能であり、したがって、本技法により、フラッシュライトと類似の方式で印を介して環境を照らす。
【０００６】
本明細書に説明される技法及びシステムは、いくつかのやり方で実装され得る。例示的な諸実施態様は、次の図を参照して以下に提供される。本明細書に説明される実施態様、例、図は、組み合わせ可能である。例として、「技法」という用語は、システム（複数可）、方法（複数可）、コンピュータ可読媒体／命令、モジュール（複数可）、アルゴリズム、ハードウェア論理部（たとえば、フィールドプログラマブルゲートアレイ（ＦＰＧＡ）、特定用途向け集積回路（ＡＳＩＣ）、特定用途用標準品（ＡＳＳＰ）、システムオンチップシステム（ＳＯＣ）、複合プログラマブル論理デバイス（ＣＰＬＤ））及び／または上述の文脈によって、本明細書全体にわたって認められている技法（複数可）を示すことができる。
【０００７】
本開示では、パッケージ化されていないＬＥＤを使用した、照光によく適している技法及び製品について説明している。しかしながら、同じ技法及び製品により、パッケージ化されたＬＥＤを用いて照光を実施することも可能である。一貫性をもたせるために、本明細書におけるＬＥＤという用語の使用は、全体的に、パッケージ化されていないＬＥＤを示すことができる。「パッケージ化されていない」ＬＥＤは、保護機能なしの囲まれていないＬＥＤを示す。たとえば、パッケージ化されていないＬＥＤは、プラスチックもしくはセラミックの筐体も、（たとえば、最終的な回路機構とインターフェースする／相互接続するための）ダイ接点に接続されたピン／ワイヤも、及び／または（たとえば、ダイを環境から保護するための）封止部も含まないＬＥＤダイを示すことができる。
【０００８】
多くの例では、本明細書に論じられている技法は、組立レベルにおいて（ＬＥＤが「回路基板」上に配置された後）実施される。「回路基板」及び／または代替として「基板」という用語には、限定はしないが、シートまたは他の非平坦形状として形成される紙、ガラス、もしくはポリマー基板であって、ポリマーが、透光性かそうでないかは別として、限定するものではないが、シリコーン、アクリル、ポリエステル、ポリカーボネートなどを含む任意の適切なポリマーから選択され得る、紙、ガラス、もしくはポリマー基板と、（プリント回路板（ＰＣＢ）などの）回路板と、平行に延びる一対の導電性のワイヤまたは「スレッド」を含むことができるストリングもしくはスレッド回路と、綿、ナイロン、レーヨン、レザーなどの生地材料とを含めることができる。「回路基板」、または「基板」という用語のいずれかを使用しても、回路または回路トレースが基板にすでに付加されていることを必ずしも意味しているわけではない。したがって、照光装置は、本明細書に説明するように、回路ありまたは回路なしの多様な基板を実装することができる。
【０００９】
本明細書において論じているように、基板の材料選択は、耐久性材料、可撓性材料、硬質材料、及び／または製品の最終使用法の適合性を維持する他の材料を含むことができる。さらには、回路基板などの基板は、基板が、ＬＥＤに電気を供給するための導電性回路として機能するように、導電性材料だけで、または少なくとも部分的に導電性材料で形成され得る。一例では、製品基板は、銀を基にした導電性インク材料を使用して回路トレースを形成するように所望の回路パターンをその上にスクリーン印刷した可撓性の透光性ポリエステルシートとすることができる。いくつかの例では、製品基板の厚さは、約５ミクロン〜約８０ミクロン、約１０ミクロン〜約８０ミクロン、及び約１０ミクロン〜約１００ミクロンなどの範囲とすることができる。
【００１０】
任意の適切なタイプの技術を利用して、導電性トレースを実装することができる。適切な技術の例には、限定はしないが、例として、銀、炭素様材料、または電気を伝導するための任意の他の材料を含める。導電性トレースは、反射性で不透明であり、またはそうでない場合は透光性でも透明でもない材料から構成され得る。いくつかの例では、導電性トレースは、（たとえば、インジウムスズ酸化物を使用することによって）透光性であっても、または透明であってもよい。導電性トレースは、導電性ナノファイバを含むことができる。導電性トレースは、従来の導電性インクまたは他の類似の工程を用いて生成され得る。導電性インクは、ポリエステルから紙など、多様な基板材料上に回路を引く、または印刷することを可能にする焼付け高固形分系またはＰＴＦ（ポリマー厚膜）系として分類することができる。これらのタイプの材料は、通常、粉末状またはフレーク状の銀、及び炭素様の材料などの導電性材料を含んでいる。導電性インクは、最新の導電性トレースを敷くための経済的なやり方とすることができるが、導電性トレースのエッチングなど、従来の工業規格が、関連基板に対して使用され得る。さらなる別の例では、導電性トレースは、フォトエッチングされた銅と同様にあらかじめ作製することができ、二次的導電性結合材料（たとえば、はんだ）をあらかじめ作製された導電性トレースに加えて、取付けを容易にすることができる。
【００１１】
さらには、本明細書に論じられている実施形態では、ＬＥＤを含んでいる回路基板が、米国特許出願第１４／９３９，８９６号に記載の「直接転移」工程を使用して用意され得ることが企図され、ここでは、パッケージ化されていないＬＥＤダイが、ウェハまたはウェハテープから回路基板などの基板に直接転移され、次いで、蛍光体、または量子ドットもしくは有機色素などの他の逓降媒体の付加など、さらに加工して、あるいは加工せず、組立のときに装置内に実装される。パッケージ化されていないＬＥＤダイの直接転移は、（他の技法と比較して）最終製品の厚さ、ならびに製品基板の製造時間及び／または費用の量を大幅に抑えることができる。しかしながら、他の例では、これらの技法は、ＬＥＤダイの直接転移工程を実施しない他の文脈で実施され得る。
【００１２】
ＬＥＤの製作には、通常、数え切れないほどの段階を含む複雑な製造工程が関わっている。製作は、半導体ウェハを取り扱うことから開始し得る。ウェハは、多数のパッケージ化されていないＬＥＤにダイシングされる。パッケージ化されていないＬＥＤデバイスは、ＬＥＤダイ、または単に「ダイ」と呼ぶことができる。単一の半導体ウェハをダイシングして、１００，０００個、または１，０００，０００個をも超えるダイを半導体ウェハから形成するように様々な大きさの複数のダイを生み出すことができる。従来の使用法では、次いで、パッケージ化されていないダイは、一般に「パッケージ化」される。「パッケージ化された」という修飾語は、最終的なＬＥＤ内に内蔵される筐体及び保護機能、ならびにパッケージ内のダイを最終的に回路の中に組み込むことを可能にするインターフェースを示す。たとえば、上述したように、パッケージ化は、プラスチック成形リードフレーム内にまたはセラミック基板上にダイを実装すること、ダイ接点をピン／ワイヤに接続して最終的な回路機構とインターフェースする／相互接続すること、及びダイを封入材により封止することに関わって、光抽出を改良しダイを環境（たとえば、埃）から保護することができる。パッケージ化により、ＬＥＤダイは、製造される製品の回路組立体に「プラグイン」される準備ができる。次いで、製品製造メーカは、製品回路機構の中にパッケージ化されたＬＥＤを配置する。加えて、ＬＥＤダイをパッケージ化すると、ＬＥＤデバイスを劣化または破壊させる可能性があり得る素子からダイが保護される一方、パッケージ化されたＬＥＤダイは、パッケージの内部に見られるダイよりも本質的に大きい（たとえば、いくつかの例では、厚さがおおよそ１０倍、及び面積が１０倍、結果的に体積が１００倍になる）。したがって、結果的に得られる回路組立体をＬＥＤダイと回路基板のパッケージよりも薄くすることはできない。
【００１３】
諸実施形態について、構造的特徴及び／または方法論的動作に固有の文言で本明細書においては説明するが、本開示が、説明されている固有の特徴または動作に必ずしも限定されないことを理解されたい。むしろ、固有の特徴及び動作は、諸実施形態を実装する例示的な形態として本明細書において開示される。
【００１４】
例示的な環境
図１Ａ及び図１Ｂは、本明細書に説明されている例を動作させることができる例示的なデバイス（１００、１０２、１０４）及びデバイス状態を示した図である。いくつかの例では、様々なデバイスは、ラップトップ１００またはラップトップ１０２などの電子デバイスを含むことができる。他の例では、電子デバイスは、１０４に示されているタブレットまたはスマートフォンとすることができる。さらなる他の例では、デバイスは、本来、電子デバイスでないこともある。たとえば、デバイスは、本明細書において説明される照光素子が取り付けられ、または挿入され得る任意の表面とすることができる。
【００１５】
１つの例では、デバイスは、ラップトップ（１００、１０２）を含み、このラップトップ（１００、１０２）は、印（たとえば、１０６（１）、１０６（２）、１０６（４））をラップトップのバックカバー（１０８）上に配置している。印は、中でもとりわけ、アイコン、ロゴ、マーク、図柄、記号、または表示を含むことができる。印は、固定式（たとえば、ラップトップ上にはめ込まれた透光性プラスチック、自転車におけるステッカ、エッチング、彫刻）であっても、または動的（たとえば、液晶ディスプレイ（ＬＣＤ））であってもよい。たとえば、印は、ラップトップ１００の印１０６（１）など、社章として形作られた透光性、半透明、または光を拡散する材料を含むことができる。様々な例では、印は、デバイスのベゼル、及び／または他の特徴を含むことができる。他の実施形態では、印は、たとえば、ＬＣＤ１０６（２）、カメラ１０６（４）、ボタンもしくは他の入力デバイス１０６（５）、無線（ＲＦ）エミッタ、データポート（たとえば、光学ＵＳＢ）、充電ポートなどのうちの１つまたは複数などの電子構成要素とすることができる。
【００１６】
しかしながら、デバイスがラップトップ（１００、１０２）である必要はなく、デバイスは、印（たとえば、１０６（３）、１０６（５））をその上に配置したスマートフォンもしくはタブレット１０４、または本明細書において説明される光生成源（ＬＧＳ）が貼付もしくは挿入され得る印を含む表面を有する任意の他の物体とすることができる。たとえば、物体は、転写シールが貼付されている車または自転車であってもよく、ＬＧＳは、ＬＧＳを転写シールに貼付することによるのか、または光生成源を転写シールの下もしくは転写シール内に配置することによるのかにかかわらず、転写シールを照光するように配置されている。
【００１７】
図１Ａ及び図１Ｂは、本明細書において説明されるＬＧＳが作動し得る間のデバイス状態の対比を示している。図１Ａは、１００及び１０２で、ラップトップの例において、ラップトップ蓋が上がっている「デバイスオープン」状態を示している。この状態の間、デバイスは、概して、「電源オン」状態にあるが、また休止またはスリープ状態；ディスプレイは電源オフであるが、デバイスの残りもしくはデバイスの残りのほぼすべてが電力オンのままであるディスプレイスリープ状態；あるいは「電力オフ」状態にあり得る。これらの状態はまた、ラップトップ以外の電子デバイスに共通である。しばしば、電子デバイスは、バッテリ電力を保存するために、電力オフ状態、休止状態、スリープ状態、及びディスプレイスリープ状態の間、ディスプレイに対するバックライトをオフにすることがあり、これらの状態の間、連続入力／出力のための追加のディスプレイを有するので、デバイスの厚さ及び電力消費を増加させることになる。本明細書において企図される技法は、デバイスの厚さを増加させることなく、またはバッテリにおける大きい浪費をもたらすことなく、印を点灯させることを可能にする。
【００１８】
図１Ｂは、ラップトップの例では、ラップトップ蓋が閉じられている「デバイスクローズド」状態を示している。この状態の間、デバイスは、概して、「電力オフ」状態にあるが、休止またはスリープ状態、あるいはディスプレイは電力オフされるが、デバイスの残りもしくはデバイスの残りのほぼすべてが電力オンのままであるディスプレイスリープ状態にある場合もある。
【００１９】
薄型エッジ照光を用いた印点灯のための例示的な技法
図２は、薄型エッジ照光解決策（たとえば、ＬＧＳ２０６）を用いた印点灯のための技法を採用するハウジング２０４内に印２０２（たとえば、透明、透光性、または別の形で光を拡散するロゴ；液晶ディスプレイ；電子デバイス２００の他のディスプレイ層、エッチング、図柄、記号、画像、電子構成要素など）を配置した電子デバイス２００の断面を示している。電子デバイス２００は、バックライトの１つまたは複数のエッジ（たとえば、側面、外面）に沿って光生成源（ＬＧＳ２０６）（たとえば、ＬＧＳ２０６及びライトガイド２０８をまとめて）を備える。本明細書において示されるとき、ＬＧＳは、個々の照光素子を示すことも、または照光素子の群を示すこともある。いくかの例では、ＬＧＳ２０６は、ディスプレイ全体（たとえば、ＬＧＳ２０６、ライトガイド２０８、及びディスプレイ層２１０をまとめて）に沿って配置されてもよい。ＬＧＳ２０６は、一方の側に配置され、光線２１２（１）及び２１２（２）によって示されるように、光をライトガイド２０８の中に放射する。ＬＧＳ２０６は、ディスプレイ光拡散方向２１６に対して横方向の光放射方向２１４に光を放射する。
【００２０】
「光拡散方向」及び「光放射方向」は、同じであっても、または異なっていてもよいことに留意されたい。本明細書において使用されるとき、「光拡散方向」は、光が、概ね、エンドユーザによって知覚されるように進む方向、またはデバイスの意図された方向であると定義され、一方、「光放射方向」は、ＬＧＳが光を放射する方向を意味すると定義される。「光拡散方向」及び「光放射方向」は、光子がその中を進む材料（たとえば、光子がその中に焼き付けられる媒体、ＬＧＳを介したレンズ、光子がその中を進むディスプレイ層）を含む複数の要因に応じて、光子が進む実際の方向が大きく異なることがあることがわかる非常に広範な用語とすることができることが企図される。そのため、用語は、特定の光が進んでいる方向が最も広範に説明される方向を示す。また、ＬＧＳが、（たとえば、ＬＧＳが、図２に示されているディスプレイ層２１０の中へと屈折されるようにディスプレイ層２１０と平行ではなく、ディスプレイ層２１０において光を直接、放射するように方向付けられたとき（図７参照））光を光拡散方向と同じである方向（すなわち、光放射方向）に放射することができることも意図される。さらには、「光放射方向」という文言は、ＬＧＳが光を放射するために方向付けられる方向について説明するために選択されたにすぎないので、ＬＧＳが、放射されると、拡散されないことを意味していない。「光放射方向」という用語は、単に、元の放射方向を定義し、一方、光拡散方向は、照射される光が拡散される方向を定義しているにすぎない。
【００２１】
ＬＧＳ２０６は、たとえば、中でもとりわけ、可視光、紫外線、赤外線、またはＸ線など、ディスプレイの使用に適切な任意の波長の電磁放射線を放出することができる。他の実施態様では、ＬＧＳ２０６は、パッケージ化された発光ダイオード（ＬＥＤ）、有機ＬＥＤ（ＯＬＥＤ）、レーザダイオード、量子ドットＬＥＤ（ＱＤ‐ＬＥＤ）、これらまたは任意の他の類似のデバイスのハイブリッドのアレイとすることができる。別の例では、ＬＧＳ２０６は、沈着型ＬＥＤ（ｄＬＥＤ）または印刷可能発光ダイオード（ｐＬＥＤ）のアレイを含むことができる。本明細書において説明される技術とともに使用されるように企図されるＬＧＳの一例は、「Ｄｉｏｄｅ  ｆｏｒ  ａ  Ｐｒｉｎｔａｂｌｅ  Ｃｏｍｐｏｓｉｔｉｏｎ」という表題である米国特許第８，４１５，８７９号に記載されており、これは、本明細書に参照によって組み込まれている。これらのＬＥＤは、印刷され、したがって、本明細書においてはｐＬＥＤと呼ばれる。１つの例では、ｐＬＥＤは、共平面が広い電極を有することができる。
【００２２】
ｄＬＥＤの実施態様では、個々のＬＧＳ（たとえば、パッケージ化されていないＬＥＤ、ＬＥＤダイ）は、基板（たとえば、厚さが０．２５ミリメートル未満の薄膜、厚さが０．２ミリメートル未満の薄膜、厚さが０．１〜０．１５ミリメートル未満の薄膜、厚さが０．０７〜０．１ミリメートル未満の薄膜、厚さが０．００６〜０．０１２ミリメートル未満の薄膜、可撓性薄膜）上に配置され（たとえば、印刷され、積層され、落とし込みされ）得る。基板上に沈着されるｄＬＥＤ、ｐＬＥＤ、ＬＥＤダイなどはまとめて、本明細書においてはｄＬＥＤのＬＧＳと呼ばれる。図２においては、個別のユニットがＬＧＳ２０６として示されているように見えるが、ＬＧＳは、ｄＬＥＤのＬＧＳを利用する一実施形態において、数千個のｄＬＥＤを含み得ることが企図される。
【００２３】
パッケージ化されていないＬＥＤを個々のＬＧＳとして使用して、ｄＬＥＤのＬＧＳを形成することができる。いくつかの例では、パッケージ化されていないＬＥＤは、直径が１０〜５０ミクロンの範囲であり、高さが５〜２０ミクロンの範囲である。１つの例では、パッケージ化されていないＬＥＤは、最大幅または最大長さを有し、いずれか長い方は、約３００〜３２０ミクロンの範囲である。いくつかの実施態様においては、個々のＬＧＳ（たとえば、パッケージ化されていないＬＥＤ、ＬＥＤダイ）は、直径が約２０〜３０ミクロンの範囲であり、高さが約５〜５０ミクロンのである。１つの例では、パッケージ化されていないＬＥＤは、寸法が１つの辺で２３０〜３００ミクロンの範囲であり、第２の辺で１８０〜２００ミクロンの範囲であり、高さが５０〜８０ミクロンの範囲である。そのため、本明細書におけるｄＬＥＤのＬＧＳに関する厚さを示す測定結果は、ｄＬＥＤのＬＧＳの厚さが主に基板の厚さによって決定される（ここでは、ｄＬＥＤのＬＧＳの厚さは、ｄＬＥＤのＬＧＳの外形の高さの測定結果、または等価的に、基板の最外層の表面から基板の最外層から離れて配置されているＬＧＳの側までの距離の測定結果である）ので、述べた距離、８０ミクロン内である。
【００２４】
さらには、パッケージ化されていないＬＥＤの最大幅は、パッケージ化されたＬＥＤの最大幅よりもかなり小さいので、各ＬＥＤの中心間の空間は、大幅に抑えられ、そのため、知覚される光の均一性が増す。１つの例では、配置後の各パッケージ化されていないＬＥＤの中心間の空間は、０．０５ミリメートルである。ＬＥＤは、光の「点」を生み出し、多くの適用例では、光が均一である（すなわち、光の各点を区別することができない）ことが望ましいので、経験則として、拡散オフセット距離（すなわち、ＬＥＤアレイから放射される光が均一と知覚される最小距離）は、隣接するＬＥＤの中心２２４間の距離にほぼ等しいとすることができる。そのため、ｄＬＥＤのＬＧＳの場合、拡散オフセット距離は、約０．０５ミリメートルの拡散オフセット距離を有することができる。
【００２５】
パッケージ化されたＬＥＤを採用するエッジ照光適用例の従来のライトガイドは、厚さ２１８が約０．２５〜０．５ミリメートルである。ｄＬＥＤのＬＧＳを採用する一例では、ライトガイド２０８は、その厚さである必要はない。エッジライトにｄＬＥＤのＬＧＳを採用する実施態様では、ディスプレイ（ＬＧＳ２０６、ライトガイド２０８、及びディスプレイ層２１０をまとめて）、ｄＬＥＤのＬＧＳは、パッケージ化されたＬＥＤに一般的なレンズ構造なしにライトガイド２０８のエッジに直接、取り付けられ（たとえば、成形され、押圧され、接着され）得る。さらには、ライトガイド２０８は、ｄＬＥＤが、実質的に、寸法がより小さいので、従来のライトガイド（０．２５〜０．５ミリメートル）ほど厚い必要はなく、ライトガイド２０８及びディスプレイ層２１０を十分に点灯させることができる。
【００２６】
ラップトップ、及びテレビなどの他のディスプレイは、概して、エッジ照光を採用して、画像をユーザに伝える液晶ディスプレイ（ＬＣＤ）を点灯させる。ディスプレイ層２１０は、ＬＣＤ（たとえば、偏光フィルム、ガラスフィルタ、負電極、液晶層、薄膜トランジスタ、正電極、カバーガラス）、拡散体、プリズムフィルムの様々な層、及び光を修正して画像（たとえば、画像、記号、信号）を表すことになる任意の追加のもしくは任意の他の適切な層を表す。ディスプレイ光拡散方向２１６に反射し屈折する光線２１２（１）は、ディスプレイ層２１０によって修正され（たとえば、拡散され、遮断され、着色され）て、所望の画像（たとえば、画像、記号、信号）を形成する。
【００２７】
いくつかの例では、ディスプレイ層２１０を介してユーザに提示される画像の輝度を増加させるために、反射体２２０（たとえば、ミラー）が、ライトガイド２０８とハウジング２０４との間に含まれてもよい。１つの例では、反射体２２０は、ハウジング２０４内に配置された印２０２を点灯させるのに非連続であってもよい。反射体２２０の中の間隙２２２は、光を通過させて印２０２を点灯させることを可能にし、ハウジング２０４の中に組み込まれ、光線２１２（２）のうちの少なくともいくつかがその中を通過することを可能にすることができる。
【００２８】
使用可能なパッケージ化されていないＬＥＤの大きさが極めて小さく、米国特許出願第１４／９３９，８９６号に記載の直接転移による配置方法及び装置の改良により、従来の方法及びパッケージ化されたＬＥＤを用いて達成され得る間隔と比較すると、ＬＥＤ間の間隔は、改良された転移方法を使用した際に著しく縮小させることができる。ＬＥＤ間の間隔がより小さくなると、ＬＥＤの密度を高め、したがって、輝度性能を高めることができる。
【００２９】
密度及び輝度性能の上昇に鑑みて、たとえばデバイス上の薄膜上に、印（たとえばロゴ）を点灯させることに加えて、印が、デバイス（たとえば、電話を含んだモバイルデバイス、マルチメディアデバイス、タブレット、及びラップトップデバイス）上のカメラのためのフラッシュとして使用され得ることもまた企図される。したがって、点灯可能な印は、追加のフラッシュ機能を含む必要性をなくすことができる。追加として及び／または代替として、改良された点灯可能な印は、カメラのフラッシュとの組合せで使用されて、環境の明るさを向上させ、及び／または改変させることができる。たとえば、印のＬＥＤの出力は、製造されたときの色もしくは輝度によって異なる場合があり、及び／またはＬＥＤの総出力色は、環境における照光に変化をもたせるために制御可能とすることができる。つまり、ＬＥＤの出力色は、向上したまたは別の形で修正された画像を生み出すために、撮影されている環境に対して、たとえば、鮮やかな白色、柔らかい白色、赤色、青色、緑色などの効果をもたらす光をキャスティングすることができる。
【００３０】
図１４では、電話など、モバイルデバイス１４００の実施形態が示されている。モバイルデバイス１４００のハウジング１４０２は、１つまたは複数のＬＥＤ１４０６によって点灯する印１４０４を含むことができる。いくつかの例では、印１４０４は、カメラ１４０８を使用して写真を撮影するための環境を照らすのに使用され得る。したがって、モバイルデバイス１４００は、印１４０４を単にフラッシュとして使用することができる。追加として及び／または代替として、モバイルデバイス１４００は、二次的または代替のフラッシュ部材として、内臓型カメラフラッシュ１４１０をさらに含むことができる。
【００３１】
別の実施形態では、印のＬＥＤの群は、写真が撮影されるときの通知として秒読み（すなわち、３、２、１…）として数字を示すようにまとめて点灯することができる。たとえば、図１５Ａは、印１５００Ａを示し、ここでは、「３」から開始する秒読みの通知１５０２Ａが、印１５００Ａのあらかじめ定められた／あらかじめプログラミングされたＬＥＤの群を点灯させることによって点灯する。同様に、印１５００Ａの１つまたは複数のＬＥＤは、プリフラッシュアラートとして（たとえば、印の一方の側から反対の側に、作動しているＬＥＤの数を増加または減少させ、及び／または色を変えて）時間調節のパルスで単に点灯させることができる。
【００３２】
さらには、印のＬＥＤは、輝度及び色の様々な品質により選択され、印の中で特定の位置に特定の量で配置されて、異なる点灯設定を作り出すために必要に応じて、１つまたは複数の特定のＬＥＤの選択的点灯を可能にすることができる。そのような設定は、カメラのアプリケーションにおけるプリセットなどのデバイスの機能の中にあらかじめプログラミングされ得、あるいは個々のまたは群のＬＥＤの選択的設定が、特に制御可能とすることができる。プリセット設定は、１つまたは複数の個々のＬＥＤを作動させること、及び／または１つまたは複数の群のＬＥＤを作動させることを含むことができ、光の均一性または融和した見掛けを創出するために類似のまたは別個の品質をもたらす。
【００３３】
その上、追加として及び／または代替として、改良された点灯可能な印（モバイルデバイス１４００の印１４０４など）をフラッシュライトデバイスとして使用して、単に環境を照らすことができる。ここで再度言うが、印のＬＥＤの出力は、製造されたときの色もしくは輝度によって異なる場合があり、及び／またはＬＥＤの総出力色は、環境における照光に変化をもたせるために制御可能とすることができる。つまり、ＬＥＤの出力色は、修正された及び／または向上した環境を生み出すために、環境に対して、たとえば、柔らかい白色、赤色、青色、緑色などの効果をもたらす光をキャスティングすることができる。さらには、印のＬＥＤは、輝度及び色の様々な品質により選択され、印の中で特定の位置に特定の量で配置されて、異なる点灯設定を作り出すために必要に応じて、１つまたは複数の特定のＬＥＤの選択的点灯を可能にすることができる。そのような設定は、カメラアプリケーションにおけるプリセットなどのデバイスの機能の中にあらかじめプログラミングされ得、または個々のまたは群のＬＥＤの選択的設定が、特に制御可能とすることができる。プリセット設定は、１つまたは複数の個々のＬＥＤを作動させること、及び／または１つまたは複数の群のＬＥＤを作動させることを含むことができ、光の均一性または融和した見掛けを創出するために類似のまたは別個の品質をもたらす。したがって、フラッシュライトとしては、輝度または色のレベルは、使用者のニーズ及び環境に特に適合するように選択され得る。
【００３４】
さらなる別の実施形態では、改良された印は、追加として、上述の機能に関連して、及び／または代替として、電話着信、携帯メール、電子メール、メッセージ、ビデオチャット、ソーシャルアプリケーション及び／または他の対話型アプリケーションなどに対する更新などの通知の手段として、さらに使用され得る。通知手段としては、印またはロゴのＬＥＤは、複数のやり方で制御され得る。いくつかの例では、印のＬＥＤは、通知の配信に従って、デバイスのプロセッサから信号を受け取ると、一緒に点灯するように均一に制御され得る。印におけるＬＥＤの作動は、すべてのＬＥＤのオン／オフのパターンで、律動的に、散発的に、または不規則にＬＥＤを点灯させるように制御され得る。
【００３５】
さらには、印のＬＥＤは、同様に様々なレベルの電力において点灯可能である。たとえば、印（またはその一部分）におけるすべてのＬＥＤは、たとえば、フルのパワー／輝度レベル、3／4のパワー／輝度レベル、1／2のパワー／輝度レベルなどで点灯することができる。その上、パワー／輝度レベルの変動は、点灯パターンにより変わることができる（たとえば、第１のパルスまたはフラッシュの点灯の繰返しは、フルパワー／輝度レベルで実行されて、その後に1／2のパワー／輝度で実行される後続の第２のパルスまたはフラッシュの点灯が続き、その順序は、律動的に繰り返すことができる）。
【００３６】
いくつかの例では、追加として及び／または代替として、印のＬＥＤは、静的または動的なパターンで点灯するように個々に及び／または限定された数の群でアドレス可能、ならびに制御可能とすることができる。たとえば、図１５Ｂ及び図１５Ｃに示されているように、デバイスにおいて電子メールを受け取った場合、印１５００Ｂ、１５００Ｃの所定の数の個々のＬＥＤまたはＬＥＤの群は、所定の量の時間にわたって、封筒通知１５０２Ｂまたは単語の文字「ＥＭＡＩＬ」通知１５０２Ｃを示すように静的に点灯することができる。追加の、及び／または代替の例では、（印１５００Ｃなどの）印のＬＥＤは、動的に点灯して、横方向かまたは縦方向かのいずれかにスクロールする形で単語、画像、アイコン、ロゴなどとして通知１５０４Ｃを示すようにあらかじめプログラミングされ得る（たとえば、印の中のＬＥＤは、デバイス上に利用可能なサービスに呼出し中、携帯メール中、または電子メール中である連絡先の名前を表示することができる）。通知１５０２Ｃは、静的とすることができると同時に、通知１５０４Ｃは、同じ印１５００Ｃ内で動的とすることができ、スクロールし始めたところの「Ｊｏｈｎ  Ｄｏｅ」という名前の残りによって示され、ここで、図１５Ｃでわかるように「ｏｈｎ  Ｄｏｅ」だけを表示していることに留意されたい。さらなる別の例では、個々のＬＥＤまたは隣接する群のＬＥＤは、光の波動、光の螺旋、様々なパワー／輝度レベルで点灯している印の異なる部分が、パルスし、またはフェードイン及びフェードアウトする光のパルス、光の動きの追跡、光の変色の波、ランダムな光点の爆発などを形成するために、連続して作動及び点灯するようにあらかじめプログラミングされ得る。
【００３７】
さらなる例示的な実施形態では、印のＬＥＤは、デバイスにおいて再生もしくは作動している音楽または他のサウンドのリズム／スタイルに従って点灯することができる。そのような点灯は、印（たとえば、ロゴ）の全体、または点灯している一部分により行うことができる。つまり、印の１つまたは複数のＬＥＤは、通知または表示として、歌曲などのリズムもしくはサウンドに対する均一なパルス、電話着信のベル、デバイスなどにおいて再生しているゲームの背景サウンド、受け取った信号に対応するスクローリング／リップリング波形、図１５Ｄの印１５００Ｄにおいてわかる一連の平行な線／棒を点灯させることができ、ここでは、通知１５０２Ｄの各線／棒は、異なるサウンドを表し、線／棒の高さは、サウンドの強度を表す、等々である。上記例のそれぞれでは、印のＬＥＤは、パワー、輝度、色などの所定の設定に対して表示される強度によって異なる場合がある。印のＬＥＤの通知／表示の機能が企図されるデバイスは、モバイルデバイスに、またはパーソナル／マルチメディアコンピューティングデバイスに限定するものではないことに留意されたい。むしろ、ヘッドフォン、スピーカ、パーソナルホームアシスタント／マルチメディア／多機能のデバイス、カメラなど、他のデバイスもまた、印点灯の上述の実施形態とともに使用されるように企図される。
【００３８】
他の実施形態と同様に、転移される印のＬＥＤは、輝度及び色の様々な品質により選択され、印の中で特定の位置に特定の量で配置されて、上述したものを含む、異なる点灯設定または機能を作り出すために必要に応じて、１つまたは複数の特定のＬＥＤの選択的点灯を可能にすることができる。そのような点灯設定は、ユーザの嗜好に従って、印のＬＥＤを作動させるように、ユーザに対して個人設定され、及び／またはユーザによってカスタマイズにされ得る。たとえば、ユーザは、電話着信の通知用に第１の所望の印点灯パターン／設定、携帯メールの通知用に第２の別個の所望の印点灯パターン／設定、さらにはデバイスを介してアクセスすることができるゲームまたはアプリケーションに対する更新もしくはステータス変更の通知用に第３の別個の所望の印点灯パターン／設定を選択することができる。その上、設定は、別個の属性情報／サービス間で区別するようにさらに個人設定され得る（たとえば、配偶者からの着信用に第１の印通知点灯設定、及び特定の友人、子ども、親、学校、仕事、ゲーム更新、ソーシャルメディア通知による着信用に第２の別個の印通知点灯設定など）。
【００３９】
本明細書に説明の実施形態ではいずれも、ユーザは、印点灯のカスタマイズされた通知を作成する能力をさらに有することができることが企図される。たとえば、ユーザは、印のカスタマイズ化に関連するアプリケーションにアクセスし、パラメータを入力して、必要に応じて点灯を表示することができる。カスタマイズ化の実施形態では、ユーザは、タッチ力センシングを用いて、印及び通知をプログラミングすることが可能とすることができる。
【００４０】
薄型の第２のディスプレイを用いた印点灯のための例示的な技法
図３Ａは、ＬＥＤ３０４と、ライトガイド３０６と、ディスプレイ層３０８（ＬＣＤが使用されている場合、上記のディスプレイ層２１０と同じまたは類似の構成要素を有する）とから構成された第１のディスプレイ３０２（たとえば、発光ダイオード（ＬＥＤ）バックライト液晶ディスプレイ（ＬＣＤ））を備え、光拡散方向３１０を有するデバイス３００の断面を示し、この大まかな方向に光線３１２は、ＬＥＤ３０４によって放射された後、屈折し、修正され（たとえば、拡散され、着色され、遮断され、増強され）、ディスプレイ層３０８によって伝搬される。
【００４１】
図３Ａの説明及び図は、ＬＥＤバックライトＬＣＤを採用するデバイス３００を示しているが、代替として、たとえば、中でもとりわけ、フルアレイＬＥＤ背面照光（たとえば、横方向ではなく光拡散方向３１０に光を直接、放射し、ｘ−ｚ座標面全体にわたって反射体３１０に配置されているＬＥＤ）、動的バックライト（たとえば、画面の所与の一部における光／色の強度のレベルを制御するために、背面照光ＬＥＤが個々にまたはまとまって制御される「局所的減光」）、有機ＬＥＤ、プラズマ、陰極線管、または図３Ｂに示されている薄型ディスプレイ（たとえば、ｄＬＥＤのＬＧＳ）などの他のディスプレイ手段が、第１のディスプレイ３０２として採用されてもよい。任意の適切なディスプレイデバイスが、薄型の第２のディスプレイ３１４が貼付され得る第１の光拡散方向３１０を有する第１のディスプレイ３０２として採用されてもよい。
【００４２】
１つの例では、薄型の第２のディスプレイ３１４は、基板に貼付されたＬＧＳ（たとえば、まとめてｄＬＥＤのＬＧＳ）を備えることができ、反射体３１６に貼付され（たとえば、成形され、積層され、押圧され、接着され）得る。薄型の第２のディスプレイ３１４は、印３２０を点灯させる第２の光放射方向３１８を有し、この印３２０の中を光線３２２が通過し、または印３２０がＬＣＤである場合、遮断され得る。そのため、印３２０は、ディスプレイ３０２の状態とは無関係に点灯することができる。つまり、印３２０は、ＬＥＤ３０６がディスプレイ層３０８にバックライトを供給するために作動しているかどうかにかかわらず、薄型の第２のディスプレイ３１４によって点灯することができる。
【００４３】
さらなる別の例では、薄型の第２のディスプレイ３１４（たとえば、ｄＬＥＤのＬＧＳ）は、ライトガイド３０６に貼付され得る。その例では、ＬＧＳが沈着される基板は、ライトガイド３０６に貼付される側に反射表面を有することができる。代替としては、基板は、薄型の第２のディスプレイ３１４からの光が、ディスプレイ層３０８を点灯させるために光拡散方向３１０に放散するのを可能にするために、透光性または透明であることも可能になる。たとえば、ディスプレイ３０２にバックライトを供給する第１のＬＥＤ３０４は、作動していなくてもよく、薄型の第２のディスプレイ３１４は、印３２０及びディスプレイ層３０８のうちの１つまたは複数を照光するために作動していてもよい。これにより、ディスプレイの多くの画素として必要ではない場合があるユーザインターフェースを表示するための電力オプションをより低くすることができる。そのようなユーザインターフェースの例には、たとえば、ログインボックス、通知、またはステータスを含めることができる。
【００４４】
いくつかの例では、薄型の第２のディスプレイ３１４は、ハウジング３２４に、または印３２０自体に貼付され得る。１つの例では、薄型の第２のディスプレイ３１４は、ハウジング３２４と第１のディスプレイとの間に他の層を配置した電子デバイスのハウジング３２４に貼付される（たとえば、バッテリ及び他の構成要素が、一方の側のハウジングを他方の側の第１のディスプレイと分離するスマートフォンのハウジングに貼付される薄型の第２のディスプレイ）。さらには、薄型の第２のディスプレイ３１４は、同時に、ライトガイド３０６、反射体３１６、ハウジング３２４、及び印３２０のうちの１つまたは複数に接触し、あるいは貼付され得る。１つの例では、薄型の第２のディスプレイ３１４は、ライトガイド３０６、反射体３１６、またはハウジング３２４のうちの１つに貼付され得、薄型の第２のディスプレイ３１４と印３２０との間に空間が存在し得る。代替としては、拡散、プリズム、蛍光体、追加のｄＬＥＤ、または他の層が、薄型の第２のディスプレイ３１４と印３２０との間に配置され得る。たとえば、薄型の第２のディスプレイ３１４がｄＬＥＤのＬＧＳを備える例では、光線３２２の着色に対する修正を行うために、蛍光体層が個々のＬＧＳ（たとえば、ＬＥＤダイ）にあてがわれてから、個々のＬＧＳを基板上に沈着しても、または蛍光体層は、ＬＧＳ／基板の沈着後にあてがわれてもよい。
【００４５】
さらなる別の例では、薄型の第２のディスプレイ３１４は、記号、画像、またはロゴの輪郭を形成するように形付けられ得る可撓性基板（たとえば、ポリエステル基板）を含むことができ、それによって、記号、画像、もしくはロゴの輪郭または全体が点灯する。また、印３２０が、デバイスの、ディスプレイ３０２と同じ側にあってもよく（たとえば、ロゴがモニタ画面の下部にあり、ボタンがディスプレイの下部にあり、センサエリアがディスプレイの下部にあり、カメラがディスプレイの上側にあるなど）、またはデバイスの同じ側にあるか、両側にあるかにかかわらず（たとえば、ディスプレイの上側にロゴを、反対側にロゴを含むディスプレイ、複数の画面を有するデバイス、正面を向いたカメラ、赤外線センサを有するスマートフォン）、複数の印３２０を有することができることも企図される。
【００４６】
いくつかの例では、薄型の第２のディスプレイ３１４は、たとえば、ボタン、カメラ、センサエリア、入力デバイスなど、デバイス３００の電子構成要素の少なくとも一部分を点灯させることができる。たとえば、薄型の第２のディスプレイ３１４は、ボタンの周囲の少なくとも一部を照光することができる。様々な例では、薄型の第２のディスプレイ３１４は、ＬＧＳからの光がカメラなどの電子構成要素を通過して環境を照光するように位置決めされ得る。たとえば、薄型の第２のディスプレイ３１４は、フラッシュとして使用され得、あるいは表示される光のパターン及び／または色により、カメラに関する通知を行うことができる。いくつかの例では、パターンは、保存、処理、更新、進行中の機能（たとえば、データのキャプチャ）などの機能を伝えるために、「尾追い」パターンとすることができる。様々な例では、放射光の色は、たとえば、エラーコード（たとえば、赤色の放射光）、アプリケーション通知などの様々な出力を示すことができる。
【００４７】
様々な例では、薄型の第２のディスプレイ３１４は、ディスプレイ層３８０の反対側に配置されたデバイス３００の側を含むことができ、及び／または情報がデバイスの複数の側に伝えられ得るように、透明または半透明のハウジングの下部に配置され得る。いくつかの例では、薄型の第２のディスプレイ３１４は、デバイス３００の任意の部分に配置され得る。
【００４８】
同様に、図３Ｂは、上述の諸例による追加のまたは異なる構成でデバイス３００の断面を示している。たとえば、図３Ｂは、異なるタイプの第１のディスプレイ、すなわち、薄型の第２のディスプレイ３１４（たとえば、ｄＬＥＤのＬＧＳ）と同じまたは類似のタイプの薄型のディスプレイ３２６（たとえば、ｄＬＥＤのＬＧＳ）の使用を示している。薄型の第２のディスプレイの機能及び使用に関して論じられている諸例は、ここで同様に適用できる。薄型のディスプレイ３２６を使用すると、ライトガイドの必要性がなくなること、及び拡散オフセット距離が減少することにより、ディスプレイ全体の薄さが増すことになり得る。
【００４９】
図３Ｂはまた、厚さ３２８（すなわち、ｄＬＥＤのＬＧＳの場合、これは、基板とＬＥＤの外形の全高に等しい）が０．２５ミリメートル未満である薄型のディスプレイ３２６の断面を示しているが、この厚さは、０．１〜０．１５ミリメートルの範囲内であっても、０．０２５〜０．１ミリメートルの範囲内であっても、及びわずか０．０１５ミリメートルであってもよい。さらには、図３Ｂは、最小拡散オフセット距離３３０（すなわち、薄型のディスプレイ３２６の放射表面から、この場合、印３２０の表面である視表面までの距離）を示し、この最小拡散オフセット距離３３０は、３３２によって示されている薄型のディスプレイ３２６の光放射構成要素の中心間の距離に等しい（すなわち、距離３３０は、距離３３２に等しい）。
【００５０】
図４Ａは、印３２０を点灯させるための１つの例示的な構成で薄型の第２のディスプレイ３１４（たとえば、ｄＬＥＤのＬＧＳ）のクローズアップ断面を示している。この例では、薄型の第２のディスプレイ３１４は、ライトガイド３０６、反射体３１６、あるいはハウジング３２４のうちの１つまたは複数に貼付され、それにより、ＬＧＳ４００は、ライトガイド３０６、反射体３１６、もしくはハウジング３２４のうちの１つまたは複数の最大の表面から離れて、あるいは等価的には垂直に光を放射する。薄型の第２のディスプレイ３１４は、図４Ａにおけるデカルト座標によって定義される正のｙ方向に放射する。この実施形態は、「フルアレイ」またはＬＥＤの直接照光の実施形態と類似している。
【００５１】
図４Ｂは、ＬＧＳ４００の放射に向かって、または等価的には図４Ａにおけるデカルト座標によって定義される負のｙ方向に見たＬＧＳ４００の例示的なレイアウトを示す略図である。いくつかの例では、ＬＧＳ４００またはＬＧＳ群は、薄型の第２のディスプレイ３１４全体にわたって均等に分布し得る。特定の使用のために印３２０を適切に照光することになるＬＧＳ４００の任意の他の適切なパターンまたは分散が企図される。たとえば、ＬＧＳ４００は、印３２０の少なくとも一部分全体にわたって連続点灯を行うように配置されても、または印３２０の別個の部分において（たとえば、エッジの周りで印全体にわたってあるパターンで）連続点灯を行うように配置されてもよい。図４Ｂは、ＬＧＳ４００が印３２０に向かって、または等価的には正のｙ方向に光を放射するように配置され得ることを示している。
【００５２】
図４Ｃは、図４Ａによって示され上述された薄型の第２のディスプレイの構成が採用され得る例示的な環境をさらに示している。図４Ｃは、ラップトップ４０２と、ＬＧＳ４００によって照光されている印３２０をハウジング３２４の中に配置したラップトップ４０２の断面とを示している。図４Ａの断面と比較すると、断面が、ラップトップ４０２の示されている向きと対応するように反転していることに留意されたい。上述したように、代替としてまたは追加として、印３２０は、デバイスのハウジングの一部分など、デバイスのベゼルもしくは他の特徴、及び／またはたとえば、ＬＣＤ、カメラ、ボタンもしくは他の入力デバイス、センサ（複数可）（たとえば、赤外線センサ、深さセンサ）、スキャナ、ＲＦエミッタ、データポート（たとえば、光学ＵＳＢ）、充電ポートなどの電子構成要素を含んでいてもよい。そのような例では、図４Ａ及び図４Ｂにおける示されている例では、構成要素は、印３２０によって占められているように示されているものと類似のエリア内に配置され得る。様々な項目では、構成要素は、図４Ａが示すよりも大きいまたは小さいエリアを占めることができる。
【００５３】
図５Ａは、１つの例示的な構成で薄型の第２のディスプレイ３１４のクローズアップ断面を示している（たとえば、数千個の個々のＬＧＳがアレイまたはマトリックスに配列され、アレイまたはマトリックスの各部分は、アドレス可能であり、アレイまたはマトリックスは、ディスプレイの画素を構成し、もしくはディスプレイのそれぞれの画素の下に位置決めされている）。一例では、ＬＧＳ４００をそれらが印３２０に向かって光を放射するように配置するのではなく、またはそれに加えて、ＬＧＳ４００は、１つまたは複数のＬＧＳが「エッジ照光」タイプの適用例において印３２０に平行な光を放射するように配置されるように構成され得る。１つまたは複数のＬＧＳ４００は、キャビティ５００の１つまたは複数の側面に沿って、あるいは印の全体よりも小さい連続部分に沿って配置され得、印の内部部分に向かって点灯する。キャビティ５００は、空の空間、気体もしくは液体、印３２０（たとえば、透光性もしくは半透明の材料、ＬＣＤ、他のディスプレイ層、エッチング）、または蛍光体層もしくは他のＬＧＳなど、光を修正するための他の層を含むことができる。上述したように、代替としてまたは追加として、印３２０は、デバイスのハウジングの一部分など、デバイスのベゼルもしくは他の特徴、及び／またはたとえば、ＬＣＤ、カメラ、ボタンもしくは他の入力デバイス、センサ（複数可）（たとえば、赤外線センサ、深さセンサ）、スキャナ、ＲＦエミッタ、データポート（たとえば、光学ＵＳＢ）、充電ポートなどの電子構成要素を含んでいてもよい。印３２０は、キャビティ５００内で屈折した光によって照光され、そのため、ライトガイド、またはライトガイドとプリズム層とを含むのに役立つ場合がある。図５Ａが、キャビティ５００の全体を占有していない拡散材料として印３２０を示していることに留意されたい。印は、キャビティ５００全体を満たしても、またはハウジング３２４の外側に配置されてもよい。さらには、印は、中でもとりわけ、任意の材料、ＬＣＤ、またはエッチングを含むことができる。
【００５４】
図５Ｂは、印３２０を照光するための薄型の第２のディスプレイ３１４の「エッジ照光」適用例でＬＧＳ４００の例示的な構成を示している。上述のように、ＬＧＳ４００は、キャビティ５００の内部、またはいくつかの例では、等価的には、印３２０の内部を照らすように配置され得る。いくつかの例では、ＬＧＳ４００は、キャビティ５００または印３２０の全体に満たない側面に配置され得る。他の例では、ＬＧＳ４００は、キャビティ５００または印３２０の１つまたは複数の側面に配置される。１つの例では、ＬＧＳ４００は、キャビティ５００または印３２０の外周に配置され、キャビティ５００または印３２０の内部部分に向かって点灯する。別の例では、ＬＧＳ４００は、印の全体に満たない一部分に沿って配置され、印の内部部分に向かって点灯する。この例示的な構成では、ＬＧＳは、例示されるハウジング３２４の中の空間を占有し得る。
【００５５】
図６Ａは、印３２０を点灯させるための薄型の第２のディスプレイ３１４の例示的な構成のさらなる別の断面を示している。この例では、ＬＧＳ４００は、キャビティ６００の外側に沿って配置され、それにより、ＬＧＳ４００は、実施態様に応じて、キャビティ６００または印３２０の内部に向かって光を放射する。この例では、ＬＧＳ４００が貼付される基板は、可撓性とすることができ、ＬＧＳをその上に沈着した基板を任意の物体の表面にわたって配置することが可能になる。これを達成するために、基板は、接着層（図示せず）をさらに含むことができる。基板は、接着、加硫、押圧、成形、または任意の同様に企図された方法によって、ハウジング３２４に取り付けられ得る。別の例では、ＬＧＳ４００は、射出成形、印刷、もしくは同様に企図された方法によって、印自体の中に形成されても、または印３２０全体にわたって配置されてもよい。また、ＬＧＳ４００がキャビティ６００もしくは印３２０のすべての側面に沿って配置される必要も、または連続的に配置される必要もないことが企図される。
【００５６】
図６Ｂは、ＬＧＳ４００の例示的な構成及び向きを示している。上述したように、ＬＧＳ４００は、キャビティ６００の内部、またはいくつかの例では、等価的には、印３２０の内部を照らすように配置され得る。いくつかの例では、ＬＧＳ４００は、キャビティ５００または印３２０の全体に満たない側面に配置され得る。他の例では、ＬＧＳ４００は、キャビティ５００または印３２０の１つまたは複数の側面に配置される。１つの例では、ＬＧＳ４００は、キャビティ５００または印３２０の外周に配置され、キャビティ５００または印３２０の内部部分に向かって照らす。
【００５７】
１つの薄型ディスプレイを使用した印点灯のための例示的な技法
図７は、バックライト７０４（たとえば、ｄＬＥＤのＬＧＳ）と、ディスプレイ層７０６（たとえば、ＬＣＤ）とから構成された薄型ディスプレイ７０２（たとえば、発光ダイオード（ＬＥＤ）バックライト液晶ディスプレイ（ＬＣＤ）、ｄＬＥＤのＬＧＳバックライトＬＣＤ、ｄＬＥＤのＬＧＳ）を備え、光放射方向７０８を有するデバイス７００の断面を示し、この大まかな方向に光線７１０は、バックライト７０４によって放射され、光拡散方向７１２にディスプレイ層３０８によって修正される（たとえば、拡散される、着色される、遮断される、増強される）。図７は、バックライト７０４及びディスプレイ７０６（たとえば、ＬＣＤ）を有する薄型ディスプレイ７０２を示しているが、バックライト７０４がアドレス可能なＬＧＳを備え（すなわち、各ＬＧＳまたはＬＧＳの群は、個々に制御可能とすることができる）、十分に着色され得（たとえば、バックライト７０４にわたって蛍光体層を採用することによって、または蛍光体層にパッケージ化されていないＬＥＤダイをコーティングしてから基板上にそれらを沈着することによって）、それにより、ディスプレイ層７０６が、必要なくなり、置き換えられるか、または完全に取り除かれるかのいずれであってよいことが企図される。１つの例では、ディスプレイ層７０６は、プリズム層、拡散層、拡散距離オフセット層、別のＬＧＳ層、蛍光体層、または任意の他の同様に企図された層もしくは表面のうちの１つまたは複数に置き換え可能である。
【００５８】
１つの例では、薄型ディスプレイ７０２は、反射体７０８に貼付され得る。他の例では、薄型ディスプレイ７０２は、ハウジング７１２、印７１４、もしくはディスプレイ層７０６のうちの１つまたは複数に貼付され得る。いくつかの例では、反射体７０８は、非連続であり、印７１４を点灯させるための薄型ディスプレイ３１４によって光を放射することを可能にするキャビティ７１６が設けられる。キャビティ７１６は、空の空間、気体もしくは液体、印７１４、または蛍光体層もしくは他のＬＧＳなど、光を修正するための他の層を含むことができる。この例では、印７１４は、バックライト７０４からキャビティ７１６内に放射される光によって照光され、そのため、ライトガイドまたはライトガイド及びプリズム層を含むことに役立つことができる。印７１４は、キャビティ７１６全体、キャビティ７１６の一部を埋めても、またはハウジング７１２の外側に配置されてもよい。さらには、印は、中でもとりわけ、任意の材料、ＬＣＤ、またはエッチングを含むことができる。
【００５９】
印７１４を点灯させるためには、バックライト７０４の基板は、光を印７１４に向かって光放射方向７１８に放散することを可能にするように、透光性または透明とすることができる。
【００６０】
ｄＬＥＤのＬＧＳを用いて薄型ディスプレイ７０２を構成する１つの例では、均一照光で薄型のディスプレイが、印７１４を点灯させながら達成可能である。ｄＬＥＤのＬＧＳを備えるバックライト７０４は、０．２５ミリメートル未満の厚さ７２０、いくつかの例では、最大で０．２ミリメートルである厚さ７２０を有するので、薄型ディスプレイ７０２は、従来のディスプレイよりも薄い。さらなる他の例では、バックライト７０４は、０．１ミリメートルから０．１５ミリメートルの間の厚さ７２０を有する。１つの例では、バックライト７０４は、０．０２５ミリメートルから０．１ミリメートルの間の厚さ７２０を有する。さらには、ｄＬＥＤのＬＧＳを備えるバックライト７０４における隣接するＬＥＤエッジ７２２間の距離は、０．０５〜０．１ミリメートル以下であり、拡散オフセット距離が０．０５ミリメートルでなくてはならないことだけを意味する。この理由から、バックライト７０４の放射側から視表面７２６までの距離７２４は、拡散オフセット距離（たとえば、０．０５ミリメートル）に等しくさえあれば十分である。
【００６１】
さらには、バックライト７０４は、個々にアドレス可能な（たとえば、制御可能な）ｄＬＥＤまたは群アドレス可能なｄＬＥＤを有するｄＬＥＤのＬＧＳを備えることができる。ｄＬＥＤはまた、異なる波長の光を放射することもできる。同じ波長の光を放射する個々のｄＬＥＤまたはｄＬＥＤの群によって放射される光の強度を個々に制御しながら、別の波長の光を放射する他の個々のｄＬＥＤまたはｄＬＥＤの群によって放射される光の強度を制御すると、バックライト７０４は、ＬＣＤの必要なしに画像を表示することが可能になり得る（たとえば、赤色、緑色、及び青色の光を放射する個々のｄＬＥＤまたはｄＬＥＤの群は、それぞれが強度に変化をもち、混合されるとき、可視光スペクトルを放射する）。そのため、電極および液晶層を取り除くことが可能であるので、ディスプレイ層７０６の厚さは、大幅に抑えられ、または削減され得る。
【００６２】
いくつかの例では、視表面７２６及び／または印７１４は、デバイスのハウジングの一部分など、デバイスのベゼルもしくは他の特徴、及び／またはたとえば、ＬＣＤ、カメラ、ボタンもしくは他の入力デバイス、センサ（複数可）（たとえば、赤外線センサ、深さセンサ）、スキャナ、ＲＦエミッタ、データポート（たとえば、光学ＵＳＢ）、充電ポートなどの電子構成要素を含んでいてもよい。
【００６３】
表面における印点灯のための例示的な技法
図８Ａ及び図８Ｂは、印８０２をその中に、またはその上に配置し、表面実装型ＬＧＳ８０４によって点灯している物体８００の断面を示している。物体８００は、表面実装型ＬＧＳ８０４が貼付され得る表面を有する任意の物体とすることができる。印８０２は、前述のように、中でもとりわけ、透明または透光性のロゴ（たとえば、プラスチックアイコン）、エッチング、ＬＣＤ、または図柄（たとえば、ステッカ、印刷形状）とすることができる。いくつかの例では、表面実装型ＬＧＳ８０４は、接着、加硫、押圧、成形、または同様に企図された方法によって、物体８００の表面８０６に貼付され得る。別の例では、表面実装型ＬＧＳ８０４は、印８０２内に形成され得る。様々な例では、印８０２は、デバイスのハウジングの一部分など、デバイスのベゼルもしくは他の特徴、及び／またはたとえば、ＬＣＤ、カメラ、ボタンもしくは他の入力デバイス、センサ（複数可）（たとえば、赤外線センサ、深さセンサ）、スキャナ、ＲＦエミッタ、データポート（たとえば、光学ＵＳＢ）、充電ポートなどの電子構成要素を含んでいてもよい。そのような例では、図４Ａ及び図４Ｂにおいて示されている例では、構成要素は、印３２０によって占められているように示されているものと類似のエリア内に配置され得る。様々な項目では、構成要素は、図４Ａが示すよりも大きいまたは小さいエリアを占めることができる。
【００６４】
１つの例では、図８Ａによって示されているように、印８０４は、物体８００の表面内に配置され、表面実装型ＬＧＳ８０４は、印８０４の少なくとも一部にわたって配置され得る。別の例では、光ファイバまたはライトガイドを採用して、表面実装型ＬＧＳ８０４それ自体は、印８０２にわたって配置されないが、表面実装型ＬＧＳ８０４からの光は、印８０２に達するようにすることができる。
【００６５】
図８Ｂに示されているものと類似のいくつかの例では、表面実装型ＬＧＳ８０４は、ｄＬＥＤと、ｄＬＥＤの反対側に接着剤をその上に配置した可撓性基板とを備えることができる。この例では、表面実装型ＬＧＳ８０４は、物体８００に接着され得る。たとえば、表面実装型ＬＧＳ８０４は、除去され得る接着層を保護するための追加の層を有するステッカのように製造可能になる。ステッカは、会社商標として形付けることができ、商標の縁部または商標全体は、可撓性基板の表面または縁部に配置されたｄＬＥＤによって照らされることができる。図８Ｂにおいては、印８０２が、表面実装型ＬＧＳ８０４と等しい厚さであっても、または異なる厚さであってもよく、表面実装型ＬＧＳ８０４によって放射される光を拡散、屈折、または反射し得ることが企図される。
【００６６】
印点灯及び通知を制御するための例示的な技法
図９は、ＬＧＳアレイ（９０２（１）〜９０２（ｎ））によって印の点灯を制御する例示的電子デバイス９００のブロック略図を示している。例示的な電子デバイス９００は、コンピュータ可読媒体９０６に動作可能に接続された１つまたは複数の処理ユニット（複数可）９０４を有する任意のタイプのコンピューティングデバイスを含むことができる。接続は、バスを介して可能であり、いくつかの例では、バスは、システムバス、データバス、アドレスバス、ＰＣＩバス、Ｍｉｎｉ−ＰＣＩバス、ならびに任意の多様なローカルバス、周辺バス、及び／または独立バスのうちの１つまたは複数を含むことができ、あるいは別の動作可能な接続を介して可能である。処理ユニット（複数可）９０４は、たとえば、例示的な電子デバイス９００の中に組み込まれているＣＰＵを表すことができる。
【００６７】
例示的な電子デバイス９００は、コンピュータ可読媒体９０６、Ｉ／Ｏインターフェース（複数可）９０８、及びネットワークインターフェース（複数可）９１０に動作可能に接続された１つまたは複数の処理ユニット（複数可）９０４を有する任意のタイプのコンピューティングデバイスを含むことができる。コンピュータ可読媒体９０６は、ディスプレイ制御モジュール９１２、及びその上に記憶されている通知モジュール９１４を有することができる。
【００６８】
コンピュータ可読媒体９０６は、少なくとも２つのタイプのコンピュータ可読媒体、すなわち、コンピュータ記憶媒体と通信媒体とを含むことができる。コンピュータ記憶媒体は、コンピュータ（もしくは他の電子デバイス）可読命令、データ構造体、プログラムモジュール、または本明細書に記載の工程もしくは方法を実行するための他のデータなど、情報を（圧縮または非圧縮の形態で）記憶するための任意の方法または技術において実装される揮発性及び不揮発性の非一時的機械可読リムーバブル及び非リムーバブルの媒体を含むことができる。コンピュータ記憶媒体は、限定はしないが、ハードドライブ、フロッピーディスケット、光ディスク、ＣＤ−ＲＯＭ、ＤＶＤ、読取り専用メモリ（ＲＯＭ）、ランダムアクセスメモリ（ＲＡＭ）、ＥＰＲＯＭ、ＥＥＰＲＯＭ、フラッシュメモリ、磁気または光学カード、ソリッドステートメモリデバイス、または電子命令を記憶するのに適切な他のタイプの媒体／機械可読媒体を含む。
【００６９】
対照的に、通信媒体は、コンピュータ可読命令、データ構造、プログラムモジュール、または搬送波もしくは他の伝送機構などの変調データ信号における他のデータを具現化することができる。本明細書に定義されるとき、コンピュータ記憶媒体は、通信媒体を含まない。
【００７０】
例示的な電子デバイス９００は、限定はしないが、デスクトップコンピュータ、サーバコンピュータ、ウェブサーバコンピュータ、パーソナルコンピュータ、モバイルコンピュータ、ラップトップコンピュータ、タブレットコンピュータ、ウェアラブルコンピュータ、埋込型コンピューティングデバイス、電気通信デバイス、自動車用コンピュータ、ネットワーク使用可能テレビ、シンクライアント、端末、パーソナルデータアシスタント（ＰＤＡ）、ゲームコンソール、ゲーミングデバイス、ワークステーション、メディアプレイヤ、パーソナルビデオレコーダ（ＰＶＲ）、セットトップボックス、カメラ、コンピューティングデバイスの中に含まれる集積構成要素、電化製品、あるいはＣＰＵタイプのプロセッサ（たとえば、マイクロプロセッサ）、ＧＰＵ、またはアクセラレータデバイス（複数可）など、１つまたは複数の別個のプロセッサデバイス（複数可）などの任意の他の種類のコンピューティングデバイスを含むことができる。
【００７１】
いくつかの例では、例示的な電子デバイス９００に関して示されているように、コンピュータ可読媒体９０６は、例示的な電子デバイス９００に組み込まれているＣＰＵを表すことができる処理ユニット（複数可）９０４によって実行可能な命令を記憶することができる。コンピュータ可読媒体９０６はまた、外部ＣＰＵタイププロセッサによって実行可能、ＧＰＵによって実行可能、及び／またはＦＰＧＡタイプアクセラレータ、ＤＳＰタイプアクセラレータ、または任意の内部もしくは外部のアクセラレータなどのアクセラレータによって実行可能な命令を記憶することもできる。
【００７２】
コンピュータ可読媒体９０６において記憶されている実行可能な命令は、たとえば、オペレーティングシステム９１６、ディスプレイ制御モジュール９１２、通知モジュール９１４、及び他のモジュール、プログラム、または処理ユニット（複数可）９０４によってロード可能及び実行可能とすることができるアプリケーションを含むことができる。代替として、または追加として、本明細書に記載の機能は、アクセラレータなどの１つまたは複数のハードウェア論理構成要素によって少なくとも一部実行され得る。たとえば、限定はしないが、使用され得る例示的なタイプのハードウェア論理構成要素は、フィールドプログラマブルゲートアレイ（ＦＰＧＡ）、特定用途向け集積回路（ＡＳＩＣ）、特定用途用標準品（ＡＳＳＰ）、システムオンチップシステム（ＳＯＣ）、複合プログラマブル論理デバイス（ＣＰＬＤ）などを含む。たとえば、アクセラレータは、ＦＰＧＡファブリックに埋め込まれているＣＰＵコアを含むＺＹＬＥＸまたはＡＬＴＥＲＡから１つなど、ハイブリッドデバイスとすることができる。
【００７３】
この示されている例では、コンピュータ可読媒体９０６はまた、データストア９１８を含む。いくつかの例では、データストア９１８は、データベース、データウェアハウス、または他のタイプの構造化もしくは非構造化のデータ記憶部などのデータ記憶部を含む。いくつかの例では、データストア９１８は、データアクセスを可能にするための、１つまたは複数のテーブル、インデックス、及びストアドプロシージャなどを含むリレーショナルデータベースを含む。データストア９１８は、コンピュータ可読媒体９０６に記憶され、及び／または処理ユニット（複数可）９０４もしくはアクセラレータ（複数可）によって実行可能な処理、アプリケーション、コンポーネント、及び／またはモジュールの動作のデータを記憶することができる。たとえば、データストア９１８は、バージョンデータ、反復データ、クロックデータ、ならびにディスプレイ制御モジュール９１２及び通知モジュール９１４によって記憶されアクセス可能な他の状態データを記憶することができる。
【００７４】
例示的な電子デバイス９００は、例示的な電子デバイス９００が周辺入力デバイス（たとえば、キーボード、マウス、ペン、ゲームコントローラ、音声入力デバイス、タッチ入力デバイス、ジェスチャ入力デバイス、及び印など）を含むユーザ入力デバイス、及び／または周辺出力デバイス（たとえば、ディスプレイ、プリンタ、オーディオスピーカ、触覚出力、及び印など）を含む出力デバイスなどの入力デバイス／出力デバイスと通信することを可能にする１つまたは複数の入力／出力（Ｉ／Ｏ）インターフェース（複数可）をさらに含むことができる。例示的な電子デバイス９００はまた、例示的な電子デバイス９００と他のネットワーク化デバイスとの間の通信を可能にするために１つまたは複数のネットワークインターフェース（複数可）９１０も含むことができる。そのようなネットワークインターフェース（複数可）９１０は、１つまたは複数のネットワークインターフェースコントローラ（ＮＩＣ）、あるいはネットワークを介して通信を送受信する他のタイプの送受信機デバイスを含むことができる。
【００７５】
例示的な電子デバイス９００は、コントローラ（複数可）９２０（１）〜９２０（ｎ）をさらに含むことができる。１つの例では、コントローラ（複数可）９２０（１）〜９２０（ｎ）は、ＰＮ接合ダイオード、ＰＩＮダイオード、ＦＥＴ、電極、及び／または接地状態と完全電力供給状態との間でＬＧＳ（複数可）９０２（１）〜９０２（ｎ）に供給される電流を遷移するのに適切な他の半導体もしくは回路を含むことができる。コントローラ（複数可）９２０（１）〜９２０（ｎ）は、それによって、ディスプレイ制御モジュール９１２の手段は、コンピュータ可読メモリ９０６において記憶されたソフトウェアとして実装されて、ＬＧＳ（複数可）９０１（１）〜９０２（ｎ）によって放射される光の振幅を増加または減少させることができる。ＬＧＳ（複数可）９０２（１）〜９０２（ｎ）が異なる波長の光を放射する１つの例では、ディスプレイ制御モジュール９１２は、様々な波長において放射される光の振幅をコントローラ（複数可）９２０（１）〜９２０（ｎ）によって調和させることができ、それによって、印の領域など、ＬＧＳ（複数可）９０２（１）〜９０２（ｎ）によって点灯する様々な領域の色全体が制御される。図９は、ＬＧＳ（複数可）９０１（１）〜９０２（ｎ）及びコントローラ（複数可）９２０（１）〜９２０（ｎ）を例示的な電子デバイス９００の一部であると示しているが、ＬＧＳ（複数可）９０１（１）〜９０２（ｎ）及びコントローラ（複数可）９２０（１）〜９２０（ｎ）がデバイス９００の一部でなくてもよく、Ｉ／Ｏインターフェース（複数可）９０８またはネットワークインターフェース（複数可）９１０によって例示的な電子デバイス９００に通信可能なように連結されてもよいことが企図される。
【００７６】
いくつかの例では、ディスプレイ制御モジュール９１２及び通知モジュール９１４は、ソフトウェア内に、少なくとも一部、実装される。ディスプレイ制御モジュール９１２は、コントローラ（複数可）９２０（１）〜９２０（ｎ）によってＬＧＳ（複数可）９０２（１）〜９０２（ｎ）の状態を制御するように構成されている。たとえば、ディスプレイ制御モジュール９１２は、ＬＧＳ（複数可）９０２（１）〜９０２（ｎ）に供給される電流を増加及び減少させるようにコントローラ（複数可）９２０（１）〜９２０（ｎ）を構成するように、処理ユニット（複数可）９０４において実行するように構成されたコンピュータ可読メモリ９０６において記憶されたソフトウェア命令を含むことができる。Ｉ／Ｏインターフェース（複数可）９０８が他のディスプレイとの伝達連結部を含む場合、ディスプレイ制御モジュール９１２はまた、そのようなディスプレイの状態を制御することができる。
【００７７】
通知モジュール９１４は、ネットワークインターフェース（複数可）９１０、オペレーティングシステム９１６、Ｉ／Ｏインターフェース（複数可）９０８、データストア９１８の中に記憶されているアプリケーション、または他の入力を介して、例示的な電子デバイス９００に連結された他のデバイス（たとえば、サーバ、ユーザデバイス）から通知を受け取ることができる。本明細書に使用される通知は、電子デバイスの状態、入力、及び出力の他の表示の中でもとりわけ、メッセージ（たとえば、電子メール、ＳＭＳ、ＭＭＳ、電話、ビデオチャット、あるいはこれらのうちの１つまたは複数を受け取ったことの表示）、レジスタ状態（たとえば、フラグ状態）、デバイス状態（たとえば、休止、スリープ、電源オン、電源オフ、バッテリレベル、ネットワーク接続性、デバイスアラート）、ジオデータ（たとえば、位置、速度、加速度）、アプリケーション入力／出力（イベントリマインダ、ソーシャルメディア通知、アプリケーション準備状態、処理の残り時間、時刻、日付、セキュリティアラート、受け取った電話、音楽再生状態、音楽情報）を含むことができる。ＬＧＳ（複数可）９０２（１）〜９０２（ｎ）が貼付されている物体は、電子部品でないことがさらに企図され、その場合には、通知は、物体の状態または物体に対する入力（たとえば、物体の速度、物体または物体の一部分に与えられる力）に関する情報の表示を含むことができる。
【００７８】
ディスプレイ制御モジュール９１２と協調して通知モジュール９１４は、ＬＧＳ（複数可）９０２（１）〜９０２（ｎ）を点灯させて、通知の表象を印上に見えるようにすることが可能である（たとえば、電子メールを受け取ったことを表すための封筒記号、受け取った電話を知らせるための緑色、スリープモードを知らせるための光のパルス、進行中の処理を表すためのスクロールアニメーション、セキュリティアラートを知らせるための赤色の点滅）。印は、記号、画像、アニメーションが照光されるように、コントローラ（複数可）９２０（１）〜９２０（ｎ）によって、ディスプレイ制御モジュール９１２は、ＬＧＳ（複数可）９０２（１）〜９０２（ｎ）の色及び強度を制御する。印がＬＣＤである適用例では、ディスプレイ制御モジュール９１２は、ディスプレイから放射される光の色及び強度を制御する、ＬＣＤの液晶及び電極のバックライトとして適切な光を供給するようにコントローラ（複数可）９２０（１）〜９２０（ｎ）を構成することができる。
【００７９】
図１０は、通知を表すために印を点灯させる例示的な方法１０００を示す流れ図である。ステップ１００２では、通知モジュール９１４は、ネットワークインターフェース（複数可）９１０、オペレーティングシステム９１６、Ｉ／Ｏインターフェース（複数可）９０８、データストア９１８の中に記憶されているアプリケーション、または他の入力を介して別のデバイスから通知を受け取る。通知モジュール９１４は、プッシュまたはプルモデルを採用することができる。プッシュモデルでは、通知モジュール９１４は、通知を要求することなく通知のソース（たとえば、サーバ、別のデバイス、オペレーティングシステム）から通知がプッシュされる。プルモデルでは、通知モデル９１４は、新規通知があるかどうかを確認するために通知のソースに周期的にクエリを行う。
【００８０】
一旦、通知が得られると、ステップ１００４では、通知モジュール９１４は、受け取った通知のタイプの表示があるかどうかを確認するために、データストア９１８をチェックすることができる。たとえば、表示は、電子メール受領通知の封筒アイコン、着信電話のための点滅した緑色アニメーション、時刻及び日付に対応する記号、ボタン作動または指紋一致などの入力承認のための緑色のパルス、指紋不一致などの入力拒否のための赤色パルス、情報の現在進行中の更新またはダウンロードのための「尾追い」アニメーション（たとえば、ＬＧＳがその尾を追う線を表すパターンで順次、連続的に照光及び非照光される場合）、スリープモードのためのパルス光などを含むことができる。受け取った通知タイプに適切な表示が存在しない（たとえば、通知タイプと対応している記号、画像、アニメーション、着色などがない）場合、通知モジュール９１４は、プッシュモデルまたはプルモデルに従って、通知を待つまたは通知についてクエリを行うことに戻る。受け取った通知のタイプに適切な表示が存在する場合、方法は、ステップ１００６へと続く。１００６では、ディスプレイ制御モジュールは、ＬＧＳ（複数可）９０１（１）〜９０２（ｎ）に電流を供給するようにコントローラ（複数可）９２０（１）〜９２０（ｎ）を構成し、それにより、ＬＧＳ（複数可）９０１（１）〜９０１（ｎ）は、表示を伝えるようなやり方で印を点灯させる（たとえば、印は、着信電話を知らせるために緑色をパルスし、封筒の形が印の中に現れ、印の一部分が、バッテリレベルを示すために点灯し、印は、デバイスのスリープ状態を知らせるためにパルスする）。この方法は、デバイスの別のディスプレイの状態、またはデバイスの状態にもかかわらず採用され得る（たとえば、通知は、スリープ状態中に表示され得、通知は、別のディスプレイがオフである場合であっても表示され得、通知は、別のディスプレイが点灯している間、表示され得る）。
【００８１】
印点灯を制御するための例示的な技法
図１１Ａ、図１１Ｂ、図１２Ａ、図１２Ｂ、及び図１３は、デバイス１１０２の構成要素１１００を（１１００（１）〜（４）をまとめて）含む印を点灯させるための例示的な技法を示している。構成要素１１００は、たとえば、ＬＣＤ、カメラ、ボタンまたは他の入力デバイス、センサ（複数可）（たとえば、赤外線センサ、深さセンサ）、スキャナ、ＲＦエミッタ、データポート（たとえば、光学ＵＳＢ）、充電ポート、それらの任意の組合せなど、電子構成要素を含んでいてもよい。少なくとも１つの例では、デバイス１１０２は、構成要素１１００をその中、その上、またはその下に配置したハウジング１１０４を含むことができる。様々な例では、ハウジング１１０４は、構成要素１１００の動作を促す材料を含むことができる。たとえば、ハウジング１１０４が構成要素をカバーする例では、ハウジング１１０４は、構成要素１１００によってタッチ検出するためのキャパシタンスの検出を可能にする厚さ及び組成のガラス及び／または金属を含むことができ、あるいは追加のまたは異なる例では、ハウジング１１０４は、カメラまたはスキャナの動作が、指紋またはデバイス１１０２外側の環境の他の物体を検出することを可能にする組成及び厚さのガラスを含むことができる。いくつかの例では、ハウジング１１０４は、連続的であり、他の例では、ハウジング１１０４は、連続的ではないが、構成要素に接触していることができる。いくつかの例では、ハウジング１１０４は、構成要素１１００の動作が、非連続であるハウジング１１０４によって増強される場合、構成要素１１００に接触していることができる。様々な例では、ハウジング１１０４は、構成要素１１００に非連続及び非接触であっても、または部分的に接触していてもよい。この例では、別の材料または構成要素が、ハウジング１１０４と、たとえば、印１１０６の追加の一部分などの構成要素１１００との間に挿置され得る（たとえば、構成要素１１００は、印の一部とすることができ、印の残りの部分は、構成要素１１００とハウジング１１０４との間に挿置され得る）。
【００８２】
いくつかの例では、構成要素１１００は、図１１Ａ、図１１Ｂ、図１２Ａ、図１２Ｂ、及び図１３（１１００（１）〜（４））に示すように、デバイス１１０２の単一の構成要素であっても、デバイス１１０２の複数の構成要素であっても、またはさらなる構成要素を含む構成要素であってもよい。たとえば、構成要素１１００は、物理的またはデジタル的に作動可能なボタン及び／またはスキャナ（１１００（１）〜（４））を含むことができる。いくつかの例では、スキャナを含む構成要素１１００は、ハウジング１１０４の裏面、前面、またはベゼルに配置され得る。様々な例では、スキャナは、ハウジング１１０４の下に配置され得、スキャナにわたって配置されているハウジング１１０４の部分は、組成が、ガラス、または光学、容量性、もしくは他の感知を促す別の材料である。様々な例では、１１００（４）は、構成要素１１００の一部ではなく、ハウジング１１０４の部分とすることができる。図１１Ａ、図１１Ｂ、図１２Ａ、及び図１２Ｂは、構成要素１１００が印１１０６の一部分と接触しているハウジング１１０４との間及びその下に配置されている例を示している。少なくとも１つの例では、印１１０６の部分は、構成要素１１００と接触している材料を含む。いくつかの例では、材料は、ガラス、金属、またはプラスチックを含むことができる。少なくとも１つの例では、印１１０６の部分は、リング、または略円形の物体である。様々な例では、印１１０６の部分は、多角形などの連続形状であっても、または線もしくは弧などの非連続形状であってもよい。いくつかの例では、印１１０６の部分は、含まれていない。
【００８３】
図１１Ａは、ＬＧＳ１１０８が印１１０６の部分上に配置されている、デバイス１１０２に適用される技法の少なくとも１つの例の斜視図を示している。少なくとも１つの例では、ＬＧＳ１１０８は、印１１０６の部分に成形され、押圧され、接着され、直接転移され、及び／または別の形で貼付される。いくつかの例では、ＬＧＳ１１０８は、印１１０６の部分内に配置され得る。様々な例では、印１１０６の部分は、ＬＧＳ１１０８とすることができ、ＬＧＳ１１０８の基板は、ハウジング１１０４に対する支持、または構成要素１１００の機能に構造的に必要である厚さとすることができる。少なくとも１つの例では、ＬＧＳ１１０８の点灯方向は、デバイス１１０２から離れて、または等価的には、図１１Ａにおいて定義されるｙ軸に沿って実質的に放散することができる。様々な例では、ＬＧＳ１１０８は、実質的に複数の点灯方向に方向付けられ得、実質的に任意の及び／又はあらゆる方向に放散することができる。図１１Ａには、ＬＧＳ１１０８をデバイス１１０２から外側に向いた側に配置されているように示しているが、ＬＧＳ１１０８は、デバイス１１０２の内側に向いて、印１１０６の部分の下の反対側にあり得ることになることが意図される。そのような例では、印１１０６の部分は、ＬＧＳ１１０８から少なくとも一部の光が、印１１０６の部分を貫通することができるように、透明または半透明である材料を含むことが可能になる。様々な例では、ＬＧＳ１１０８は、構成要素１１００にわたって配置される。さらには、構成要素は、図１１Ａでは、ディスプレイ１１１０の下のデバイス１１０２のハウジング１１０４の前面に置かれているように示されているが、構成要素が、デバイス１１０２内の、またはデバイス１１０２内ではないいずれかのところに配置され得ることが企図される。図１１Ａ、図１２Ａ、及び図１３は、デバイス１１０２の構成要素との関連で、ＬＧＳの具体的な構成を示しているにすぎない。
【００８４】
少なくとも１つの例では、ＬＧＳ１１０８は、上述したように、受け取った通知またはステータスの表示に関連するパターンを作動させるように構成され得る。少なくとも１つの例では、通知またはステータスは、構成要素１１００に関連付けられ得る。たとえば、構成要素がスキャナである場合、作動は、スキャンの成功（たとえば、記憶されたバイオメトリックデータとの一致または不一致を識別するのに十分なデータを有するバイオメトリックスキャンなど、有用な情報をもたらすスキャンなど）、予測入力との入力一致（たとえば、受け取ったバイオメトリックデータが有効であるなど）、予測入力との入力不一致（たとえば、受け取ったバイオメトリックデータが有効でない）、デバイス１１０２の電力状態（たとえば、スリープ状態にはパルス、「オンにする」状態にはフラッシュなど）を示すことができる。
【００８５】
図１１Ｂは、ＬＧＳ１１０８の平面図を示している。図１１Ｂは、ＬＧＳ１１０８を構成する８つの個々のＬＧＳ１１１０を示しているが、より多くの個々のＬＧＳ１１１０（たとえば、ＬＧＳのタイプ、構造支持体／基板の大きさ、用途、通知及びステータスタイプ、ならびに電力考慮事項に応じて、数十個、数百個、または可能性として数千個の個々のＬＧＳ１１１０）が、ＬＧＳ１１０８を構成し得ることが企図される。全体的に、図１１Ｂは、図１１Ｂに定義されているように、ｘｚ平面におけるＬＧＳ１１１０の概略的な分布を示している。
【００８６】
図１２Ａは、ＬＧＳ１１０８が印１１０６の部分上に配置されているデバイス１１０２において適用される技法の少なくとも１つの例の斜視図を示している。少なくとも１つの例では、ＬＧＳ１１０８は、印１１０６の部分に成形され、押圧され、接着され、直接転移され、及び／または別の形で貼付される。いくつかの例では、ＬＧＳ１１０８は、印１１０６の部分内に配置され得る。少なくとも１つの例では、ＬＧＳ１１０８は、実質的には、印１１０６の部分の内径にあっても、または内径近くにあってもよく、点灯方向が、デバイス１１０２の構成要素１１００に向かって実質的に放散する。この例では、構成要素１１００の少なくとも一部１１００（４）は、透明であっても、または半透明であってもよい。一部１１００（４）の材料は、放散された光が、印／構成要素の中心に向かって減少する「ハロー」効果をもたらすように選択され得る。
【００８７】
図１２Ｂは、印１１０６の部分、及びＬＧＳ１１０８の平面図を示している。
【００８８】
図１３は、ＬＧＳ１３０２が、様々な印１３０４（１）〜（５）を点灯させるように配置されているデバイス１３００において適用される技法の少なくとも１つの例の平面図を示している。少なくとも１つの例では、図１３に示されている印１３０４は、たとえば、デバイス１３００のハウジング１３０６のエリア１３０４（１）及びエリア１３０４（２）、デバイス１３００のボタン１３０４（３）、デバイス１３００のベゼル１３０４（４）、ならびに入力受取構成要素１３０４（５）などの様々な構成要素を含む。
【００８９】
少なくとも１つの例では、エリア１３０４（１）または（２）のうちの少なくとも一方は、入力を受け取る、または出力を送信するように指定されたハウジング１３０６のエリアとすることができる。たとえば、エリア１３０４（１）及び（２）のうちの一方または両方は、ハウジング１３０６の下に配置された容量性、光学、または他のセンサを有するタッチセンシティブエリアとすることができる。いくつかの例では、エリア１３０４（１）及び（２）のうちの一方または両方は、カメラ、信号エミッタ（たとえば、ＲＦエミッタなど）、または任意の他の入力／出力デバイスを含むことができる。また、図１３は、エリア１３０４（１）及び（２）をそれらが示されている位置にあると示しているが、エリアのうちの一方または両方は、ハウジング１３０６の背面、側面、または他の位置に配置され得ることも企図される。ＬＧＳ１３０２は、図１１Ａ、図１１Ｂ、図１２Ａ、及び図１２Ｂに関して同様に上述した任意の形で配置され得る。図１３は、エリア１３０４（１）及び（２）の中、下、隣、及び／または上に配置されたＬＧＳ１３０２の異なる構成を示している。たとえば、エリア１３０４（１）を照らすのに使用されるＬＧＳ１３０２は、エリア１３０４（１）全体にわたって配置され得、光をデバイス１３００から離れて、または任意の他の適切な方向に放散させることができる。この適用例に使用されるとき、隣という用語は、直前または直後に（たとえば、一連の構成要素構造）、共通の終点または境界を有する何らかの構成要素の次に、隣接してということなどを意味し得る。別の例では、エリア１３０４（２）を照らすのに使用されるＬＧＳ１３０２は、エリア１３０４（２）の外縁部に沿って配置され得、光をエリア１３０４（２）の中心に向かって、及び／またはデバイス１３００から離れて放散させるように方向付けられ得る。少なくとも１つの例では、エリア１３０４（１）及び（２）のうちの一方または両方を照らすＬＧＳ１３０２は、デバイス１３００の通知もしくはステータスを示し、またはテキストもしくは画像の表示として機能するために作動することができる。
【００９０】
少なくとも１つの例では、印１３０４（３）は、ボタン、または他の入力／出力機能を含むことができる。１つの例では、ＬＧＳ１３０２は、提供された入力に応答して、またはボタン１３０４（３）の機能に関する受け取った通知もしくはステータスを示すように、ボタン（複数可）１３０４（３）を点灯させることができる。たとえば、ボタン（複数可）１３０４（３）は、電源、ボリューム、消音、保留、及び／または他のボタンを含むことができ、ＬＧＳ１３０２は、電力状態、ボリューム条件、消音動作、保留状態などをそれぞれ示すためにボタン（複数可）１３０４（３）、またはボタンの近くのエリアを照らすことができる。
【００９１】
いくつかの例では、印１３０４（４）は、デバイス１３００のベゼル１３０４（４）を含むことができる。この例では、ハウジング１３０６は、光の伝送、及び／またはたとえばタッチなどの入力の受取を促す材料で構成され得る。ベゼル１３０４（４）を照らすＬＧＳ１３０２は、たとえば、バッテリレベル、Ｗｉ−Ｆｉ接続性などの多様な通知及びステータスを伝えるために配置され得る。
【００９２】
少なくとも１つの例では、印１３０４（５）は、入力受取構成要素１３０４（５）を含むことができる。入力受取構成要素１３０４（５）は、カメラ、スキャナ、センサ、及び／またはボタンなどを含むことができる。いくつかの例では、ＬＧＳ１３０２は、配置されて、カメラ用のフラッシュとして機能するように構成され得る。たとえば、ＬＧＳ１３０２は、ＬＧＳ１３０２の作動がカメラによって受け取られる点灯を可能にするように、デバイス１３００の周り、近く、またはデバイス１３００のある場所に配置可能である。少なくとも１つの例では、ＬＧＳ１３０２は、入力受取構成要素１３０４（５）を取り囲んで配置され得る。いくつかの例では、ＬＧＳ１３０２は、入力受取構成要素１３０４（５）の下、その全体にわたって、それを覆うように配置され得る。
【００９３】
例示的な条項
Ａ：ハウジングと、前記ハウジング内に配置された基板上に沈着されるＬＥＤのアレイであって、前記ＬＥＤのアレイは、ロゴが表示できる印を形成するように配置されている、前記ＬＥＤのアレイとを備える、電子デバイス。
【００９４】
Ｂ：前記印が、前記電子デバイスのユーザによるフラッシュライト機能の選択に応答してフラッシュライトとして機能するように構成されている、項Ａに記載の電子デバイス。
【００９５】
Ｃ：前記印が、前記電子デバイスのカメラのためのフラッシュとして機能するように構成されている、項ＡまたはＢに記載の電子デバイス。
【００９６】
Ｄ：前記印が、前記電子デバイスの機能の通知を表示するように構成されている、項Ａ〜Ｃのいずれかに記載の電子デバイス。
【００９７】
Ｅ：前記印が、機能の通知を表示することと、前記電子デバイスのユーザによるフラッシュライト機能の選択に応答してフラッシュライトとして機能することと、前記電子デバイスのカメラのためのフラッシュとして機能することとを行うように構成されている、項Ａ〜Ｄのいずれかに記載の電子デバイス。
【００９８】
Ｆ：前記印の設定が、あらかじめプログラミングされている、項Ａ〜Ｅのいずれかに記載の電子デバイス。
【００９９】
Ｇ：前記印の設定が、前記電子デバイスのユーザによってカスタマイズできる、項Ａ〜Ｆのいずれかに記載の電子デバイス。
【０１００】
Ｈ：前記電子デバイスは、モバイルフォンまたはタブレットである、項Ａ〜Ｇのいずれかに記載の電子デバイス。
【０１０１】
Ｉ：ハウジングと、前記ハウジング内に配置された基板上に沈着される印を形成するＬＥＤのアレイであって、前記ＬＥＤのアレイ及び前記基板は、組み合わさった外形の高さが、０．２５ミリメートル未満である、前記ＬＥＤのアレイと、１つまたは複数のプロセッサと、コンピュータ可読命令を記憶したコンピュータ可読媒体であって、前記命令は、実行されたとき、前記１つまたは複数のプロセッサに、前記ＬＥＤを作動させて、ロゴを表示するように前記印を点灯させる、前記コンピュータ可読媒体とを備えるデバイス。
【０１０２】
Ｊ：前記印の前記ＬＥＤの出力が、ユーザ設定に従って、色または輝度のうちの少なくとも一方によって異なるように構成されている、項Ｉに記載のデバイス。
【０１０３】
Ｋ：前記ＬＥＤの出力色全体が、環境の中の照光を変えるように制御できる、項ＩまたはＪに記載のデバイス。
【０１０４】
Ｌ：前記ＬＥＤを作動させることにより、フラッシュライトとして前記デバイスの外側のエリアを照らす、項Ｉ〜Ｋのいずれかに記載のデバイス。
【０１０５】
Ｍ：視野を有するカメラをさらに備え、前記ＬＥＤが、前記カメラの前記視野内のエリアを照らすように構成されている、項Ｉ〜Ｌのいずれかに記載のデバイス。
【０１０６】
Ｎ：前記カメラのためのフラッシュとして前記印の前記ＬＥＤの一部分を使用するように構成されている、項Ｉ〜Ｍのいずれかに記載のデバイス。
【０１０７】
Ｏ：前記１つまたは複数のプロセッサが、前記デバイスの機能の通知を受け取る、またはステータスを識別することと、前記通知または前記ステータスに少なくとも一部基づいて前記ＬＥＤを作動させることとを行うように構成されている、項Ｉ〜Ｎのいずれかに記載のデバイス。
【０１０８】
Ｐ：前記プロセッサが、前記ＬＥＤをパターンで作動させ、前記パターンが、前記通知または前記ステータスのタイプに少なくとも一部基づいている、項Ｉ〜Ｏのいずれかに記載のデバイス。
【０１０９】
Ｑ：前記パターンが、前記デバイスのユーザによって選択された、あらかじめ設定済みのパターンに対応する、項Ｉ〜Ｐのいずれかに記載のデバイス。
【０１１０】
Ｒ：前記あらかじめ設定済みのパターンが、単語、スクローリングする単語もしくは語句もしくは名前、画像、アイコン、ロゴ、光の波動、光の螺旋、様々なパワー／輝度レベルで点灯している前記印の異なる部分が、パルスし、またはフェードイン及びフェードアウトする光のパルス、光の動きの追跡、光の変色の波、あるいは前記印の中のランダムなＬＥＤの作動のうちの少なくとも１つを含む、項Ｉ〜Ｑのいずれかに記載のデバイス。
【０１１１】
Ｓ：前記プロセッサが、前記デバイスにおいて作動しているオーディオ信号のリズムまたはサウンドに従って前記ＬＥＤを作動させる、項Ｉ〜Ｒのいずれかに記載のデバイス。
【０１１２】
Ｔ：前記ＬＥＤが、前記基板上に沈着されたパッケージ化されていないＬＥＤを含む、項Ｉ〜Ｓのいずれかに記載のデバイス。
【０１１３】
結論
主題について、構造的機能及び／または方法論的動作に固有の文言で説明してきたが、添付の特許請求の範囲に定義されている主題は、必ずしも説明の特有の機能または動作に限定するものではないことを理解されたい。むしろ、固有の機能及び段階は、特許請求の範囲を実施する例示的な形態として開示される。
【０１１４】
上述の方法及び工程はすべて、１つまたは複数の汎用コンピュータもしくはプロセッサによって実行されるソフトウェアコードモジュールにおいて実装され、そのソフトウェアモジュールを介して完全に自動化され得る。コードモジュールは、任意のタイプのコンピュータ可読記憶媒体または他のコンピュータ記憶デバイスの中に記憶され得る。代替として、方法のうちのいくつかまたはすべてが、専用のコンピュータハードウェアにおいて実装され得る。
【０１１５】
別段、特に明記されなければ、中でもとりわけ、「ｃａｎ（可能である）」、「ｃｏｕｌｄ（可能になる）」、または「ｍａｙ（であってもよい）」などの条件付き文言は、特定の例が特定の機能、素子、及び／または段階を含むことが、他の例が特定の機能、要素、及び／またはステップを含まないことを提示する文脈内で理解される。したがって、そのような条件付き文言は、概して、特定の機能、要素、及び／またはステップが、いずれの形でも１つまたは複数の例に必要であることを暗示するようにも、あるいは１つまたは複数の例が、必ずしも、特定の機能、要素、及び／またはステップが、任意の特定の例に含まれるか、もしくは実行されるべきかどうかをユーザ入力もしくはプロンプティングありまたはなしで決定するための論理部を含むことを暗示するようにも意図するものではない。
【０１１６】
別段、特に明記されなければ、「Ｘ、Ｙ、またはＺのうちの少なくとも１つ」という語句などの連結文言は、項目、用語などが、Ｘ、Ｙ、もしくはＺのいずれかであっても、またはそれらの組合せであってもよいことを提示するように理解されたい。
【０１１７】
本明細書において説明され、及び／または添付の図に示されている流れ図におけるいずれの定型の説明、素子、もしくはブロックは、可能性として、特定の論理的機能または素子を定型的に実装するための１つまたは複数の実行可能な命令を含むコードのモジュール、セグメント、または部分を表すと理解すべきである。代替の実施態様は、本明細書において説明される例の範囲内に含まれ、ここで、素子または機能が、当業者によって理解される関連の機能に応じて、実質的に同期してまたは逆の順序を含んで、示されまたは論じられた順序から削除され、もしくは順序を外れて実行され得る。
【０１１８】
多くの変形及び修正が上述の例に対して行うことができ、その素子は、他の許容可能な例の中にあると理解すべきであることを強調すべきである。そのような修正形態及び変形形態はすべて、本開示の範囲内で本明細書に含まれるように意図され、添付の特許請求の範囲によって保護される。
【図１】
2019523906.tif 000003
【図２】
2019523906.tif 000004
【図３】
2019523906.tif 000005
【図４】
2019523906.tif 000006
【図５】
2019523906.tif 000007
【図６】
2019523906.tif 000008
【図７】
2019523906.tif 000009
【図８】
2019523906.tif 000010
【図９】
2019523906.tif 000011
【図１０】
2019523906.tif 000012
【図１１】
2019523906.tif 000013
【図１２】
2019523906.tif 000014
【図１３】
2019523906.tif 000015
【図１４】
2019523906.tif 000016
【図１５】
2019523906.tif 000017
【国際調査報告】
2019523906.tif 000018